(57)【要約】  管理装置１０５ａは、オリジナル記録媒体１０１ａから複製記録媒体１０２ａへの情報の複製を管理する。管理装置１０５ａは、複製装置１０４ａからオリジナル記録媒体１０１ａを識別するオリジナル媒体識別子を受信し、情報の複製の許諾を示す許諾情報を複製装置１０４ａへ送信する送受信部７０１ａと、受信した前記オリジナル媒体識別子と、登録されているオリジナル記録媒体を識別するオリジナル媒体識別子とに基づいて、前記オリジナル記録媒体に記録されている前記情報の複製を許諾するか否かを判断し、許諾すると判断する場合に、前記許諾情報の送信を許可する制御部７０８ａとを備える。
2011105041.tif 000002
【特許請求の範囲】
【請求項１】
情報を記録しているオリジナル記録媒体から複製記録媒体への前記情報の複製を管理する管理装置であって、
複製装置から前記オリジナル記録媒体を識別するオリジナル媒体識別子を受信し、前記情報の複製の許諾を示す許諾情報を前記複製装置へ送信する送受信手段と、
受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御手段と
を備えることを特徴とする管理装置。
【請求項２】
前記管理装置は、さらに、登録されている前記オリジナル記録媒体を識別する前記オリジナル媒体識別子を記録しているデータベースを保持する管理手段を備え、
前記制御手段は、受信した前記オリジナル媒体識別子と前記データベースに記録されている前記オリジナル媒体識別子とが一致するか否かを判断し、一致すると判断する場合に、前記許諾情報の送信を許可する
ことを特徴とする請求項１に記載の管理装置。
【請求項３】
前記送受信手段は、さらに、他の管理装置との間で、前記管理手段が保持するデータベースの全部又は一部を相互に送受信し、
前記管理手段は、他の管理装置との間でデータベースの全部又は一部を共有する
ことを特徴とする請求項２に記載の管理装置。
【請求項４】
前記送受信手段は、さらに、前記複製装置から前記複製記録媒体を識別する複製媒体識別子を受信し、
前記制御手段は、さらに、受信した前記複製媒体識別子と、登録されている複製記録媒体を識別する複製媒体識別子とに基づいて、前記判断を行う
ことを特徴とする請求項１に記載の管理装置。
【請求項５】
前記管理装置は、さらに、登録されているオリジナル記録媒体を識別する前記オリジナル媒体識別子と登録されている複製記録媒体を識別する前記複製媒体識別子とを対応付けて記録しているデータベースを保持する管理手段を備え、
前記制御手段は、受信した前記オリジナル媒体識別子と記録されている前記オリジナル媒体識別子とが一致するか否かと、受信した前記複製媒体識別子と記録されている前記複製媒体識別子とが一致するか否かとを判断し、受信した前記オリジナル媒体識別子と記録されている前記オリジナル媒体識別子とが一致し、受信した前記複製媒体識別子と記録されている前記複製媒体識別子とが一致しない場合に、前記許諾情報の送信を許可し、
前記管理手段は、受信した前記オリジナル媒体識別子と記録されている前記オリジナル媒体識別子とが一致し、受信した前記複製媒体識別子と記録されている前記複製媒体識別子とが一致しない場合に、記録されている前記オリジナル媒体識別子に対応付けて、受信した前記複製媒体識別子を前記データベースに記録する
ことを特徴とする請求項４に記載の管理装置。
【請求項６】
前記送受信手段は、さらに、複製装置からの前記許諾情報の再送要求を受信し、
前記制御手段は、複製装置からの許諾情報の再送要求に応じて、受信した前記オリジナル媒体識別子と記録されている前記オリジナル媒体識別子とが一致するか否かと、受信した前記複製媒体識別子と記録されている前記複製媒体識別子とが一致するか否かとを判断し、受信した前記オリジナル媒体識別子と記録されている前記オリジナル媒体識別子とが一致し、受信した前記複製媒体識別子と記録されている前記複製媒体識別子とが一致する場合に、前記許諾情報の再送を許可する
ことを特徴とする請求項５に記載の管理装置。
【請求項７】
前記送受信手段は、さらに、前記複製装置から当該複製装置を識別する装置識別子を受信し、
前記管理装置は、さらに、前記複製装置を識別する装置識別子に対応付けて、再送許諾閾値及び再送要求数を保持する保持手段を備え、
前記制御手段は、さらに、前記装置識別子ごとに再送要求の回数を示す前記再送要求数をカウントし、前記再送要求数が再送許諾閾値を超える場合に、それ以降の再送要求に対して、前記許諾情報の再送を禁止する
ことを特徴とする請求項６に記載の管理装置。
【請求項８】
前記送受信手段は、さらに、他の管理装置との間で、前記管理手段が保持するデータベースの全部又は一部を相互に送受信し、
前記管理手段は、他の管理装置との間でデータベースの全部又は一部を共有する
ことを特徴とする請求項５に記載の管理装置。
【請求項９】
前記送受信手段は、さらに、前記複製装置から前記オリジナル記録媒体に記録されている前記情報を識別する情報識別子を受信し、
前記制御手段は、さらに、受信した前記情報識別子と、登録されているオリジナル記録媒体に記録されている情報を識別する情報識別子とに基づいて、前記判断を行う
ことを特徴とする請求項１に記載の管理装置。
【請求項１０】
前記管理装置は、さらに、登録されている前記オリジナル記録媒体に記録されている情報を識別する情報識別子と、前記オリジナル記録媒体を識別する前記オリジナル媒体識別子とを対応付けて記録しているデータベースを保持する管理手段を備え、
前記制御手段は、受信した前記情報識別子と前記データベースに記録されている前記情報識別子とが一致するか否かと、受信した前記オリジナル媒体識別子と記録されている前記オリジナル媒体識別子とが一致するか否かとを判断し、受信した前記情報識別子と記録されている前記情報識別子とが一致し、受信したオリジナル媒体識別子と記録されている前記オリジナル媒体識別子とが一致する場合に、前記許諾情報の送信を許可する
ことを特徴とする請求項９に記載の管理装置。
【請求項１１】
前記オリジナル記録媒体に記録されている前記情報は、タイトル鍵を用いて、コンテンツが暗号化されて生成された暗号化コンテンツであり、
前記管理装置は、さらに、前記タイトル鍵を暗号化して暗号化タイトル鍵を、前記許諾情報として生成する暗号化手段を備え、
前記送受信手段は、前記許諾情報として、前記暗号化タイトル鍵を送信する
ことを特徴とする請求項１に記載の管理装置。
【請求項１２】
前記送受信手段は、さらに、前記複製装置から前記複製記録媒体を識別する複製媒体識別子を受信し、
前記管理装置は、さらに、受信した前記複製媒体識別子を用いて、前記複製記録媒体にのみ利用し得る鍵を生成する鍵変換手段を備え、
前記暗号化手段は、前記鍵変換手段により生成された前記鍵を用いて、前記暗号化タイトル鍵を暗号化する
ことを特徴とする請求項１１に記載の管理装置。
【請求項１３】
前記送受信手段は、さらに、前記複製装置から１以上の暗号化されたメディア鍵の集合である鍵集合を受信し、
前記管理装置は、さらに、前記鍵集合から、当該管理装置に対応する暗号化メディア鍵を抽出し、保持するデバイス鍵を用いて、抽出した暗号化メディア鍵を復号してメディア鍵を生成する鍵集合処理手段を備え、
前記鍵変換手段は、生成された前記メディア鍵及び前記送受信手段により受信した前記複製媒体識別子の両方を用いて、前記複製記録媒体でのみ利用し得る前記鍵を生成する
ことを特徴とする請求項１２に記載の管理装置。
【請求項１４】
前記管理装置は、さらに、前記複製装置との間で相互認証を行い、前記複製装置との間で共有鍵を共有して、安全な通信路を確立する相互認証手段を備え、
前記暗号化手段は、生成された前記共有鍵を用いて、前記暗号化タイトル鍵を暗号化する
ことを特徴とする請求項１１に記載の管理装置。
【請求項１５】
前記送受信手段は、さらに、前記許諾情報の再送要求及び前記複製装置を識別する装置識別子を受信し、
前記管理装置は、さらに、前記複製装置を識別する装置識別子に対応付けて、再送許諾閾値及び再送要求数を保持する保持手段を備え、
前記制御手段は、さらに、前記装置識別子ごとに再送要求の回数を示す前記再送要求数をカウントし、前記再送要求数が再送許諾閾値を超える場合に、それ以降の再送要求に対して、前記許諾情報の再送を禁止する
ことを特徴とする請求項１に記載の管理装置。
【請求項１６】
情報を記録しているオリジナル記録媒体から複製記録媒体へ前記情報を複製する複製装置であって、
前記オリジナル記録媒体を識別するオリジナル媒体識別子を取得する識別子取得手段と、
取得した前記オリジナル媒体識別子を管理装置へ送信し、前記管理装置から情報の複製の許諾を示す許諾情報を受信する送受信手段と、
前記オリジナル記録媒体から前記情報を読み出す情報読出手段と、
読み出した前記情報を前記複製記録媒体へ書き込み、前記許諾情報を受信した場合に、受信した前記許諾情報を前記複製記録媒体へ書き込む書込手段と
を備えることを特徴とする複製装置。
【請求項１７】
前記複製装置は、さらに、
前記オリジナル記録媒体に記録されている前記情報が複製用か否かを確認する確認手段と、
前記オリジナル記録媒体に記録されている前記情報が複製用であると確認された場合に、前記送受信手段に対して、取得した前記オリジナル媒体識別子を管理装置へ送信するように制御する制御手段とを含み、
前記送受信手段は、前記制御手段の制御により、取得した前記オリジナル媒体識別子を管理装置へ送信する
ことを特徴とする請求項１６に記載の複製装置。
【請求項１８】
前記複製装置は、さらに、
前記オリジナル記録媒体に記録されている前記情報が複製用か否かを確認し、前記オリジナル記録媒体に前記オリジナル媒体識別子が記録されているか否かを確認する確認手段と、
前記オリジナル記録媒体に記録されている前記情報が複製用であると確認され、前記オリジナル記録媒体に前記オリジナル媒体識別子が記録されていないと確認された場合に、オリジナル媒体識別子を入力する旨のメッセージを表示する表示手段と、
ユーザからオリジナル媒体識別子の入力を受け付ける入力受付手段とを含み、
前記送受信手段は、入力を受け付けた前記オリジナル媒体識別子を前記管理装置へ送信する
ことを特徴とする請求項１６に記載の複製装置。
【請求項１９】
前記オリジナル記録媒体には、当該オリジナル記録媒体を識別する前記オリジナル媒体識別子が記録されており、
前記識別子取得手段は、前記オリジナル記録媒体から前記オリジナル媒体識別子を読み出すことにより、取得する
ことを特徴とする請求項１６に記載の複製装置。
【請求項２０】
前記複製装置は、さらに、
読み出すことにより取得した前記オリジナル媒体識別子を表示し、取得した前記オリジナル媒体識別子を送信するか、又は手動入力によりオリジナル媒体識別子を入力するかを選択する旨のメッセージを表示する表示手段と、
ユーザから手動入力の選択を受け付け、ユーザにより手動入力が選択された場合に、さらに、ユーザからオリジナル媒体識別子の入力を受け付ける入力受付手段と含み、
前記送受信手段は、前記オリジナル記録媒体から読み出した前記オリジナル媒体識別子の送信が選択された場合に、当該オリジナル媒体識別子を送信し、ユーザにより手動入力が選択された場合に、ユーザから入力を受け付けた前記オリジナル媒体識別子を送信する
ことを特徴とする請求項１９に記載の複製装置。
【請求項２１】
前記識別子取得手段は、ユーザからオリジナル媒体識別子の入力を受け付けることにより、オリジナル媒体識別子を取得する入力受付手段である
ことを特徴とする請求項１６に記載の複製装置。
【請求項２２】
前記複製装置は、さらに、
前記複製記録媒体の空き容量を確認し、前記複製記録媒体の空き容量と、前記オリジナル記録媒体に記録されているコピー用の前記情報のサイズを比較する容量確認手段と、
前記複製記録媒体の空き容量が、前記オリジナル記録媒体に記録されている前記情報のサイズより小さい場合に、前記複製記録媒体の交換を促すメッセージを表示する表示手段と
を含むことを特徴とする請求項１６に記載の複製装置。
【請求項２３】
前記複製装置は、さらに、
前記複製記録媒体が当該複製装置のローカルストレージとして使用されているか否かを判断する接続状態確認手段と、
前記複製記録媒体が当該複製装置のローカルストレージとして使用されていると判断される場合に、前記複製記録媒体の交換を促すメッセージを表示する表示手段と
を含むことを特徴とする請求項１６に記載の複製装置。
【請求項２４】
前記複製装置は、さらに、
前記複製記録媒体が当該複製装置に直接挿入されているか、前記複製記録媒体が挿入された携帯装置が有線又は無線により当該複製装置に接続されているかの接続状態を確認する接続状態確認手段と、
前記携帯装置を識別する識別情報の入力を受け付ける入力受付手段と、
前記携帯装置を識別する識別情報に対応付けて、有線又は無線で接続されている場合に、前記複製装置による情報の書き込みが行えるか否かを記したリストを保持するリスト保持手段と、
前記リストと、前記受け付けた携帯装置の識別情報と、確認された前記接続状態とを用いて、当該複製装置が、前記携帯装置を介して、前記複製記録媒体に情報を書き込める状態にあるか否かを判定する判定手段と、
前記判定手段により書き込める状態ではないと判断される場合に、接続方法の変更を促すメッセージを表示する表示手段と
を含むことを特徴とする請求項１６に記載の複製装置。
【請求項２５】
前記リスト保持手段は、前記送受信手段を介して、前記管理装置から最新のリストを受信して保持する
ことを特徴とする請求項２４に記載の複製装置。
【請求項２６】
前記オリジナル記録媒体には、複数のコピー用の情報が記録されており、
前記複製装置は、さらに、
携帯装置を識別する識別情報の入力を受け付ける入力受付手段と、
前記携帯装置が備える機能を記したリストを保持するリスト保持手段と、
前記保持するリストと前記受け付けた携帯装置の識別情報とを用いて、前記オリジナル記録媒体に記録されている複数のコピー用の情報の中から、推奨情報を決定する決定手段と、
前記決定手段により決定された推奨情報を提示する表示手段と
を含むことを特徴とする請求項１６記載の複製装置。
【請求項２７】
前記リスト保持手段は、前記送受信手段を介して、前記管理装置から最新のリストを受信して保持する
ことを特徴とする請求項２６に記載の複製装置。
【請求項２８】
情報を記録しているオリジナル記録媒体から複製記録媒体への前記情報の複製を管理する管理装置で用いられる管理方法であって、
複製装置から前記オリジナル記録媒体を識別するオリジナル媒体識別子を受信し、前記情報の複製の許諾を示す許諾情報を前記複製装置へ送信する送受信ステップと、
受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップと
を含むことを特徴とする管理方法。
【請求項２９】
前記送受信ステップは、さらに、前記複製装置から前記複製記録媒体を識別する複製媒体識別子を受信し、
前記制御ステップは、さらに、受信した前記複製媒体識別子と、登録されている複製記録媒体を識別する複製媒体識別子とに基づいて、前記判断を行う
ことを特徴とする請求項２８に記載の管理方法。
【請求項３０】
前記送受信ステップは、さらに、前記複製装置から前記オリジナル記録媒体に記録されている前記情報を識別する情報識別子を受信し、
前記制御ステップは、さらに、受信した前記情報識別子と、登録されているオリジナル記録媒体に記録されている情報を識別する情報識別子とに基づいて、前記判断を行う
ことを特徴とする請求項２８に記載の管理方法。
【請求項３１】
情報を記録しているオリジナル記録媒体から複製記録媒体へ前記情報を複製する複製装置で用いられる複製方法であって、
前記オリジナル記録媒体を識別するオリジナル媒体識別子を取得する識別子取得ステップと、
取得した前記オリジナル媒体識別子を管理装置へ送信し、前記管理装置から情報の複製の許諾を示す許諾情報を受信する送受信ステップと、
前記オリジナル記録媒体から前記情報を読み出す情報読出ステップと、
読み出した前記情報を前記複製記録媒体へ書き込み、前記許諾情報を受信した場合に、受信した前記許諾情報を前記複製記録媒体へ書き込む書込ステップと
を含むことを特徴とする複製方法。
【請求項３２】
前記複製方法は、さらに、
前記オリジナル記録媒体に記録されている前記情報が複製用か否かを確認する確認ステップと、
前記オリジナル記録媒体に記録されている前記情報が複製用であると確認された場合に、前記送受信ステップに対して、取得した前記オリジナル媒体識別子を管理装置へ送信するように制御する制御ステップとを含み、
前記送受信ステップは、前記制御ステップの制御により、取得した前記オリジナル媒体識別子を管理装置へ送信する
ことを特徴とする請求項３１に記載の複製方法。
【請求項３３】
前記複製方法は、さらに、
前記オリジナル記録媒体に記録されている前記情報が複製用か否かを確認し、前記オリジナル記録媒体に前記オリジナル媒体識別子が記録されているか否かを確認する確認ステップと、
前記オリジナル記録媒体に記録されている前記情報が複製用であると確認され、前記オリジナル記録媒体に前記オリジナル媒体識別子が記録されていないと確認された場合に、オリジナル媒体識別子を入力する旨のメッセージを表示する表示ステップと、
ユーザからオリジナル媒体識別子の入力を受け付ける入力受付ステップとを含み、
前記送受信ステップは、入力を受け付けた前記オリジナル媒体識別子を前記管理装置へ送信する
ことを特徴とする請求項３１に記載の複製方法。
【請求項３４】
前記オリジナル記録媒体には、当該オリジナル記録媒体を識別する前記オリジナル媒体識別子が記録されており、
前記識別子取得ステップは、前記オリジナル記録媒体から前記オリジナル媒体識別子を読み出すことにより、取得する
ことを特徴とする請求項３１に記載の複製方法。
【請求項３５】
情報を記録しているオリジナル記録媒体から複製記録媒体への前記情報の複製を管理する管理装置を構成する集積回路であって、
複製装置から前記オリジナル記録媒体を識別するオリジナル媒体識別子を受信し、前記情報の複製の許諾を示す許諾情報を前記複製装置へ送信する送受信回路と、
受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御回路と
を備えることを特徴とする集積回路。
【請求項３６】
情報を記録しているオリジナル記録媒体から複製記録媒体へ前記情報を複製する複製装置を構成する集積回路であって、
前記オリジナル記録媒体を識別するオリジナル媒体識別子を取得する識別子取得回路と、
取得した前記オリジナル媒体識別子を管理装置へ送信し、前記管理装置から情報の複製の許諾を示す許諾情報を受信する送受信回路と、
前記オリジナル記録媒体から前記情報を読み出す情報読出回路と、
読み出した前記情報を前記複製記録媒体へ書き込み、前記許諾情報を受信した場合に、受信した前記許諾情報を前記複製記録媒体へ書き込む書込回路と
を備えることを特徴とする集積回路。
【請求項３７】
情報を記録しているオリジナル記録媒体から複製記録媒体への前記情報の複製を管理する管理装置で用いられる管理用のコンピュータプログラムを記録しているコンピュータ読み取り可能なプログラム記録媒体であって、
コンピュータに、
複製装置から前記オリジナル記録媒体を識別するオリジナル媒体識別子を受信し、前記情報の複製の許諾を示す許諾情報を前記複製装置へ送信する送受信ステップと、
受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップと
を実行させるためのコンピュータ用プログラムを記録しているプログラム記録媒体。
【請求項３８】
情報を記録しているオリジナル記録媒体から複製記録媒体へ前記情報を複製する複製装置で用いられる複製用のコンピュータプログラムを記録しているコンピュータ読み取り可能なプログラム記録媒体であって、
コンピュータに、
前記オリジナル記録媒体を識別するオリジナル媒体識別子を取得する識別子取得ステップと、
取得した前記オリジナル媒体識別子を管理装置へ送信し、前記管理装置から情報の複製の許諾を示す許諾情報を受信する送受信ステップと、
前記オリジナル記録媒体から前記情報を読み出す情報読出ステップと、
読み出した前記情報を前記複製記録媒体へ書き込み、前記許諾情報を受信した場合に、受信した前記許諾情報を前記複製記録媒体へ書き込む書込ステップと
を実行させるためのコンピュータ用プログラムを記録しているプログラム記録媒体。
【請求項３９】
情報を記録しているオリジナル記録媒体から複製記録媒体への前記情報の複製を管理する管理装置と、前記情報を複製する複製装置とから構成される複製管理システムであって、
前記管理装置は、
複製装置から前記オリジナル記録媒体を識別するオリジナル媒体識別子を受信し、前記情報の複製の許諾を示す許諾情報を前記複製装置へ送信する送受信手段と、
受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御手段とを備え、
前記複製装置は、
前記オリジナル記録媒体を識別するオリジナル媒体識別子を取得する識別子取得手段と、
取得した前記オリジナル媒体識別子を管理装置へ送信し、前記管理装置から情報の複製の許諾を示す許諾情報を受信する送受信手段と、
前記オリジナル記録媒体から前記情報を読み出す情報読出手段と、
読み出した前記情報を前記複製記録媒体へ書き込み、前記許諾情報を受信した場合に、受信した前記許諾情報を前記複製記録媒体へ書き込む書込手段と
を備えることを特徴とする複製管理システム。
【発明の詳細な説明】
【技術分野】
【０００１】
本発明は、情報を記録しているオリジナル記録媒体から複製記録媒体への情報の複製を管理する技術に関する。
【背景技術】
【０００２】
近年、記録媒体の大容量化や、ネットワークのブロードバンド化に伴い、映画、音楽などの著作物をデジタル化したデジタルコンテンツ（以下、単にコンテンツと称する）を、記録媒体に記録し、配布するシステムが普及している。【０００３】
こうしたシステムにおいては、コンテンツの著作権を保護するため、著作権者とコンテンツの利用者との間の合意による制限の下でのみコンテンツの再生や複製などが実行されることが必要となる。【０００４】
著作物を著作権者の許可のない不正コピー等から保護するための従来技術として、暗号技術を利用する方法が知られている。一方、携帯電話やスマートフォンの急速な広がりにより、これらモバイル端末でコンテンツを楽しみたい、というユーザの要望も増加している。
【先行技術文献】
【特許文献】
【０００５】
【特許文献１】日本国特開２００２−３２８８４６号公報
【特許文献２】日本国特開２００５−３４８１５３号公報
【発明の概要】
【発明が解決しようとする課題】
【０００６】
しかしながら、元来、家庭内の据え置き機器でコンテンツを楽しむことを目的に開発されたＤＶＤやＢｌｕ−ｒａｙ  Ｄｉｓｃは、そのコンテンツを不正コピー等から保護するために、コンテンツを持ち出し、あるいはコピーして、モバイル端末で視聴することは認められておらず、ユーザの要望を満たすことができないという課題が存在する。【０００７】
そこで、本発明は、不正なコピーを防止しつつ、ユーザの利便性を向上させ、オリジナル記録媒体に記録されている情報を複製記録媒体へコピーするための管理装置、管理方法、複製装置、複製方法を提供することを目的とする。
【課題を解決するための手段】
【０００８】
前記従来の課題を解決するために、本発明は、情報を記録しているオリジナル記録媒体から複製記録媒体への前記情報の複製を管理する管理装置であって、複製装置から前記オリジナル記録媒体を識別するオリジナル媒体識別子を受信し、前記情報の複製の許諾を示す許諾情報を前記複製装置へ送信する送受信手段と、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御手段とを備えることを特徴とする。【０００９】
また、本発明は、情報を記録しているオリジナル記録媒体から複製記録媒体へ前記情報を複製する複製装置であって、前記オリジナル記録媒体を識別するオリジナル媒体識別子を取得する識別子取得手段と、取得した前記オリジナル媒体識別子を管理装置へ送信し、前記管理装置から情報の複製の許諾を示す許諾情報を受信する送受信手段と、前記オリジナル記録媒体から前記情報を読み出す情報読出手段と、読み出した前記情報を前記複製記録媒体へ書き込み、前記許諾情報を受信した場合に、受信した前記許諾情報を前記複製記録媒体へ書き込む書込手段とを備えることを特徴とする。
【発明の効果】
【００１０】
これらの構成により、オリジナル記録媒体に記録されている情報を複製記録媒体へコピーすることができるので、不正なコピーを防止しつつ、ユーザの利便性を向上させることができる。
【図面の簡単な説明】
【００１１】
本発明の目的、効果及び特徴は、以下の説明を添付図面と併せて読めば明らかとなろう。添付図面は、本発明の一態様を例示している。
【図１】実施の形態２のコンテンツ記録システム１０の構成を示すブロック図である。
【図２】ディスク１０１に記録されるデータの一例を示す図である。
【図３】カード１０２に記録されるデータの一例を示す図である。
【図４】鍵集合３１１の一例を示す図である。
【図５】ディスク製造装置１０３の構成を示すブロック図である。
【図６】記録装置１０４の構成を示すブロック図である。
【図７】サーバ装置１０５の構成を示すブロック図である。
【図８】携帯装置１０６の構成を示すブロック図である。
【図９】ディスク製造装置１０３の動作を示す図である。
【図１０】記録装置１０４とサーバ装置１０５の動作を示す図である。図１１へ続く。
【図１１】記録装置１０４とサーバ装置１０５の動作を示す図である。図１２へ続く。
【図１２】記録装置１０４とサーバ装置１０５の動作を示す図である。図１１から続く。
【図１３】携帯装置１０６の動作を示す図である。
【図１４】サーバ装置１０５が管理するデータベースの初期状態の一例としてのデータベース７１１ａを示す図である。
【図１５】サーバ装置１０５が管理するデータベースの運用開始後の一例としてのデータベース７１１ｂを示す図である。
【図１６】記録装置１０４の機能を実現するＬＳＩの構成を示す図である。
【図１７】実施の形態１の複製管理システム１０ａの構成を示すブロック図である。
【図１８】サーバ装置１０５のデータベース管理手段７０２によるコピー許諾の判断の動作を示すフローチャートである。
【図１９】サーバ装置１０５が管理するデータベースの一例としてのデータベース７１１ｃのデータ構造を示す図である。
【図２０】データベース７１１ｃの具体例としてのデータベース７１１ｄを示す図である。
【図２１】ディスク製造装置１０３とサーバ装置１０５の間の動作を示す図である。
【図２２】記録装置１０４とサーバ装置１０５の間の動作を示す図である。図２３へ続く。
【図２３】記録装置１０４とサーバ装置１０５の間の動作を示す図である。図２２から続く。
【図２４】図２３のステップ１４７の一例としての動作を示す図である。
【図２５】図２３のステップ１４７の別の一例としての動作を示す図である。
【図２６】ディスク製造装置１０３とサーバ装置１０５の間の別の動作を示す図である。図２２から続く。
【図２７】図２３のステップ１４７の別の一例としての動作を示す図である。図２８へ続く。
【図２８】図２３のステップ１４７の別の一例としての動作を示す図である。図２７から続く。
【発明を実施するための形態】
【００１２】
請求の範囲に記載の一態様は、情報を記録しているオリジナル記録媒体から複製記録媒体への前記情報の複製を管理する管理装置であって、複製装置から前記オリジナル記録媒体を識別するオリジナル媒体識別子を受信し、前記情報の複製の許諾を示す許諾情報を前記複製装置へ送信する送受信手段と、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御手段とを備えることを特徴とする。
【００１３】
ここで、前記管理装置は、さらに、登録されている前記オリジナル記録媒体を識別する前記オリジナル媒体識別子を記録しているデータベースを保持する管理手段を備え、前記制御手段は、受信した前記オリジナル媒体識別子と前記データベースに記録されている前記オリジナル媒体識別子とが一致するか否かを判断し、一致すると判断する場合に、前記許諾情報の送信を許可するとしてもよい。
【００１４】
ここで、前記送受信手段は、さらに、他の管理装置との間で、前記管理手段が保持するデータベースの全部又は一部を相互に送受信し、前記管理手段は、他の管理装置との間でデータベースの全部又は一部を共有するとしてもよい。
【００１５】
ここで、前記送受信手段は、さらに、前記複製装置から前記複製記録媒体を識別する複製媒体識別子を受信し、前記制御手段は、さらに、受信した前記複製媒体識別子と、登録されている複製記録媒体を識別する複製媒体識別子とに基づいて、前記判断を行うとしてもよい。
【００１６】
ここで、前記管理装置は、さらに、登録されているオリジナル記録媒体を識別する前記オリジナル媒体識別子と登録されている複製記録媒体を識別する前記複製媒体識別子とを対応付けて記録しているデータベースを保持する管理手段を備え、前記制御手段は、受信した前記オリジナル媒体識別子と記録されている前記オリジナル媒体識別子とが一致するか否かと、受信した前記複製媒体識別子と記録されている前記複製媒体識別子とが一致するか否かとを判断し、受信した前記オリジナル媒体識別子と記録されている前記オリジナル媒体識別子とが一致し、受信した前記複製媒体識別子と記録されている前記複製媒体識別子とが一致しない場合に、前記許諾情報の送信を許可し、前記管理手段は、受信した前記オリジナル媒体識別子と記録されている前記オリジナル媒体識別子とが一致し、受信した前記複製媒体識別子と記録されている前記複製媒体識別子とが一致しない場合に、記録されている前記オリジナル媒体識別子に対応付けて、受信した前記複製媒体識別子を前記データベースに記録するとしてもよい。
【００１７】
ここで、前記送受信手段は、さらに、複製装置からの前記許諾情報の再送要求を受信し、前記制御手段は、複製装置からの許諾情報の再送要求に応じて、受信した前記オリジナル媒体識別子と記録されている前記オリジナル媒体識別子とが一致するか否かと、受信した前記複製媒体識別子と記録されている前記複製媒体識別子とが一致するか否かとを判断し、受信した前記オリジナル媒体識別子と記録されている前記オリジナル媒体識別子とが一致し、受信した前記複製媒体識別子と記録されている前記複製媒体識別子とが一致する場合に、前記許諾情報の再送を許可するとしてもよい。
【００１８】
ここで、前記送受信手段は、さらに、前記複製装置から当該複製装置を識別する装置識別子を受信し、前記管理装置は、さらに、前記複製装置を識別する装置識別子に対応付けて、再送許諾閾値及び再送要求数を保持する保持手段を備え、前記制御手段は、さらに、前記装置識別子ごとに再送要求の回数を示す前記再送要求数をカウントし、前記再送要求数が再送許諾閾値を超える場合に、それ以降の再送要求に対して、前記許諾情報の再送を禁止するとしてもよい。
【００１９】
ここで、前記送受信手段は、さらに、他の管理装置との間で、前記管理手段が保持するデータベースの全部又は一部を相互に送受信し、前記管理手段は、他の管理装置との間でデータベースの全部又は一部を共有するとしてもよい。
【００２０】
ここで、前記送受信手段は、さらに、前記複製装置から前記オリジナル記録媒体に記録されている前記情報を識別する情報識別子を受信し、前記制御手段は、さらに、受信した前記情報識別子と、登録されているオリジナル記録媒体に記録されている情報を識別する情報識別子とに基づいて、前記判断を行うとしてもよい。
【００２１】
ここで、前記管理装置は、さらに、登録されている前記オリジナル記録媒体に記録されている情報を識別する情報識別子と、前記オリジナル記録媒体を識別する前記オリジナル媒体識別子とを対応付けて記録しているデータベースを保持する管理手段を備え、前記制御手段は、受信した前記情報識別子と前記データベースに記録されている前記情報識別子とが一致するか否かと、受信した前記オリジナル媒体識別子と記録されている前記オリジナル媒体識別子とが一致するか否かとを判断し、受信した前記情報識別子と記録されている前記情報識別子とが一致し、受信したオリジナル媒体識別子と記録されている前記オリジナル媒体識別子とが一致する場合に、前記許諾情報の送信を許可するとしてもよい。
【００２２】
ここで、前記オリジナル記録媒体に記録されている前記情報は、タイトル鍵を用いて、コンテンツが暗号化されて生成された暗号化コンテンツであり、前記管理装置は、さらに、前記タイトル鍵を暗号化して暗号化タイトル鍵を、前記許諾情報として生成する暗号化手段を備え、前記送受信手段は、前記許諾情報として、前記暗号化タイトル鍵を送信するとしてもよい。
【００２３】
ここで、前記送受信手段は、さらに、前記複製装置から前記複製記録媒体を識別する複製媒体識別子を受信し、前記管理装置は、さらに、受信した前記複製媒体識別子を用いて、前記複製記録媒体にのみ利用し得る鍵を生成する鍵変換手段を備え、前記暗号化手段は、前記鍵変換手段により生成された前記鍵を用いて、前記タイトル鍵を暗号化するとしてもよい。
【００２４】
ここで、前記送受信手段は、さらに、前記複製装置から１以上の暗号化されたメディア鍵の集合である鍵集合を受信し、前記管理装置は、さらに、前記鍵集合から、当該管理装置に対応する暗号化メディア鍵を抽出し、保持するデバイス鍵を用いて、抽出した暗号化メディア鍵を復号してメディア鍵を生成する鍵集合処理手段を備え、前記鍵変換手段は、生成された前記メディア鍵及び前記送受信手段により受信した前記複製媒体識別子の両方を用いて、前記複製記録媒体でのみ利用し得る前記鍵を生成するとしてもよい。
【００２５】
ここで、前記管理装置は、さらに、前記複製装置との間で相互認証を行い、前記複製装置との間で共有鍵を共有して、安全な通信路を確立する相互認証手段を備え、前記暗号化手段は、生成された前記共有鍵を用いて、前記暗号化タイトル鍵を暗号化するとしてもよい。
【００２６】
ここで、前記送受信手段は、さらに、前記許諾情報の再送要求及び前記複製装置を識別する装置識別子を受信し、前記管理装置は、さらに、前記複製装置を識別する装置識別子に対応付けて、再送許諾閾値及び再送要求数を保持する保持手段を備え、前記制御手段は、さらに、前記装置識別子ごとに再送要求の回数を示す前記再送要求数をカウントし、前記再送要求数が再送許諾閾値を超える場合に、それ以降の再送要求に対して、前記許諾情報の再送を禁止するとしてもよい。
【００２７】
また、請求の範囲に記載の別の態様は、情報を記録しているオリジナル記録媒体から複製記録媒体へ前記情報を複製する複製装置であって、前記オリジナル記録媒体を識別するオリジナル媒体識別子を取得する識別子取得手段と、取得した前記オリジナル媒体識別子を管理装置へ送信し、前記管理装置から情報の複製の許諾を示す許諾情報を受信する送受信手段と、前記オリジナル記録媒体から前記情報を読み出す情報読出手段と、読み出した前記情報を前記複製記録媒体へ書き込み、前記許諾情報を受信した場合に、受信した前記許諾情報を前記複製記録媒体へ書き込む書込手段とを備えることを特徴とする。
【００２８】
ここで、前記複製装置は、さらに、前記オリジナル記録媒体に記録されている前記情報が複製用か否かを確認する確認手段と、前記オリジナル記録媒体に記録されている前記情報が複製用であると確認された場合に、前記送受信手段に対して、取得した前記オリジナル媒体識別子を管理装置へ送信するように制御する制御手段とを含み、前記送受信手段は、前記制御手段の制御により、取得した前記オリジナル媒体識別子を管理装置へ送信するとしてもよい。
【００２９】
ここで、前記複製装置は、さらに、前記オリジナル記録媒体に記録されている前記情報が複製用か否かを確認し、前記オリジナル記録媒体に前記オリジナル媒体識別子が記録されているか否かを確認する確認手段と、前記オリジナル記録媒体に記録されている前記情報が複製用であると確認され、前記オリジナル記録媒体に前記オリジナル媒体識別子が記録されていないと確認された場合に、オリジナル媒体識別子を入力する旨のメッセージを表示する表示手段と、ユーザからオリジナル媒体識別子の入力を受け付ける入力受付手段とを含み、前記送受信手段は、入力を受け付けた前記オリジナル媒体識別子を前記管理装置へ送信するしてもよい。
【００３０】
ここで、前記オリジナル記録媒体には、当該オリジナル記録媒体を識別する前記オリジナル媒体識別子が記録されており、前記識別子取得手段は、前記オリジナル記録媒体から前記オリジナル媒体識別子を読み出すことにより、取得するとしてもよい。
【００３１】
ここで、前記複製装置は、さらに、読み出すことにより取得した前記オリジナル媒体識別子を表示し、取得した前記オリジナル媒体識別子を送信するか、又は手動入力によりオリジナル媒体識別子を入力するかを選択する旨のメッセージを表示する表示手段と、ユーザから手動入力の選択を受け付け、ユーザにより手動入力が選択された場合に、さらに、ユーザからオリジナル媒体識別子の入力を受け付ける入力受付手段と含み、前記送受信手段は、前記オリジナル記録媒体から読み出した前記オリジナル媒体識別子の送信が選択された場合に、当該オリジナル媒体識別子を送信し、ユーザにより手動入力が選択された場合に、ユーザから入力を受け付けた前記オリジナル媒体識別子を送信するとしてもよい。
【００３２】
ここで、前記識別子取得手段は、ユーザからオリジナル媒体識別子の入力を受け付けることにより、オリジナル媒体識別子を取得する入力受付手段であるとしてもよい。
【００３３】
ここで、前記複製装置は、さらに、前記複製記録媒体の空き容量を確認し、前記複製記録媒体の空き容量と、前記オリジナル記録媒体に記録されているコピー用の前記情報のサイズを比較する容量確認手段と、前記複製記録媒体の空き容量が、前記オリジナル記録媒体に記録されている前記情報のサイズより小さい場合に、前記複製記録媒体の交換を促すメッセージを表示する表示手段とを含むとしてもよい。
【００３４】
ここで、前記複製装置は、さらに、前記複製記録媒体が当該複製装置のローカルストレージとして使用されているか否かを判断する接続状態確認手段と、前記複製記録媒体が当該複製装置のローカルストレージとして使用されていると判断される場合に、前記複製記録媒体の交換を促すメッセージを表示する表示手段とを含むとしてもよい。
【００３５】
ここで、前記複製装置は、さらに、前記複製記録媒体が当該複製装置に直接挿入されているか、前記複製記録媒体が挿入された携帯装置が有線又は無線により当該複製装置に接続されているかの接続状態を確認する接続状態確認手段と、前記携帯装置を識別する識別情報の入力を受け付ける入力受付手段と、前記携帯装置を識別する識別情報に対応付けて、有線又は無線で接続されている場合に、前記複製装置による情報の書き込みが行えるか否かを記したリストを保持するリスト保持手段と、前記リストと、前記受け付けた携帯装置の識別情報と、確認された前記接続状態とを用いて、当該複製装置が、前記携帯装置を介して、前記複製記録媒体に情報を書き込める状態にあるか否かを判定する判定手段と、前記判定手段により書き込める状態ではないと判断される場合に、接続方法の変更を促すメッセージを表示する表示手段とを含むとしてもよい。
【００３６】
ここで、前記リスト保持手段は、前記送受信手段を介して、前記管理装置から最新のリストを受信して保持するとしてもよい。
【００３７】
ここで、前記オリジナル記録媒体には、複数のコピー用の情報が記録されており、前記複製装置は、さらに、携帯装置を識別する識別情報の入力を受け付ける入力受付手段と、前記携帯装置が備える機能を記したリストを保持するリスト保持手段と、前記保持するリストと前記受け付けた携帯装置の識別情報とを用いて、前記オリジナル記録媒体に記録されている複数のコピー用の情報の中から、推奨情報を決定する決定手段と、前記決定手段により決定された推奨情報を提示する表示手段とを含むとしてもよい。
【００３８】
ここで、前記リスト保持手段は、前記送受信手段を介して、前記管理装置から最新のリストを受信して保持するとしてもよい。
【００３９】
また、請求の範囲に記載の別の態様は、情報を記録しているオリジナル記録媒体から複製記録媒体への前記情報の複製を管理する管理装置で用いられる管理方法であって、複製装置から前記オリジナル記録媒体を識別するオリジナル媒体識別子を受信し、前記情報の複製の許諾を示す許諾情報を前記複製装置へ送信する送受信ステップと、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップとを含むことを特徴とする。
【００４０】
ここで、前記送受信ステップは、さらに、前記複製装置から前記複製記録媒体を識別する複製媒体識別子を受信し、前記制御ステップは、さらに、受信した前記複製媒体識別子と、登録されている複製記録媒体を識別する複製媒体識別子とに基づいて、前記判断を行うとしてもよい。
【００４１】
ここで、前記送受信ステップは、さらに、前記複製装置から前記オリジナル記録媒体に記録されている前記情報を識別する情報識別子を受信し、前記制御ステップは、さらに、受信した前記情報識別子と、登録されているオリジナル記録媒体に記録されている情報を識別する情報識別子とに基づいて、前記判断を行うとしてもよい。
【００４２】
また、請求の範囲に記載の別の態様は、情報を記録しているオリジナル記録媒体から複製記録媒体へ前記情報を複製する複製装置で用いられる複製方法であって、前記オリジナル記録媒体を識別するオリジナル媒体識別子を取得する識別子取得ステップと、取得した前記オリジナル媒体識別子を管理装置へ送信し、前記管理装置から情報の複製の許諾を示す許諾情報を受信する送受信ステップと、前記オリジナル記録媒体から前記情報を読み出す情報読出ステップと、読み出した前記情報を前記複製記録媒体へ書き込み、前記許諾情報を受信した場合に、受信した前記許諾情報を前記複製記録媒体へ書き込む書込ステップとを含むことを特徴とする。
【００４３】
ここで、前記複製方法は、さらに、前記オリジナル記録媒体に記録されている前記情報が複製用か否かを確認する確認ステップと、前記オリジナル記録媒体に記録されている前記情報が複製用であると確認された場合に、前記送受信ステップに対して、取得した前記オリジナル媒体識別子を管理装置へ送信するように制御する制御ステップとを含み、前記送受信ステップは、前記制御ステップの制御により、取得した前記オリジナル媒体識別子を管理装置へ送信するとしてもよい。
【００４４】
ここで、前記複製方法は、さらに、前記オリジナル記録媒体に記録されている前記情報が複製用か否かを確認し、前記オリジナル記録媒体に前記オリジナル媒体識別子が記録されているか否かを確認する確認ステップと、前記オリジナル記録媒体に記録されている前記情報が複製用であると確認され、前記オリジナル記録媒体に前記オリジナル媒体識別子が記録されていないと確認された場合に、オリジナル媒体識別子を入力する旨のメッセージを表示する表示ステップと、ユーザからオリジナル媒体識別子の入力を受け付ける入力受付ステップとを含み、前記送受信ステップは、入力を受け付けた前記オリジナル媒体識別子を前記管理装置へ送信するとしてもよい。
【００４５】
ここで、前記オリジナル記録媒体には、当該オリジナル記録媒体を識別する前記オリジナル媒体識別子が記録されており、前記識別子取得ステップは、前記オリジナル記録媒体から前記オリジナル媒体識別子を読み出すことにより、取得するとしてもよい。
【００４６】
また、請求の範囲に記載の別の態様は、情報を記録しているオリジナル記録媒体から複製記録媒体への前記情報の複製を管理する管理装置を構成する集積回路であって、複製装置から前記オリジナル記録媒体を識別するオリジナル媒体識別子を受信し、前記情報の複製の許諾を示す許諾情報を前記複製装置へ送信する送受信回路と、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御回路とを備えることを特徴とする。
【００４７】
また、請求の範囲に記載の別の態様は、情報を記録しているオリジナル記録媒体から複製記録媒体へ前記情報を複製する複製装置を構成する集積回路であって、前記オリジナル記録媒体を識別するオリジナル媒体識別子を取得する識別子取得回路と、取得した前記オリジナル媒体識別子を管理装置へ送信し、前記管理装置から情報の複製の許諾を示す許諾情報を受信する送受信回路と、前記オリジナル記録媒体から前記情報を読み出す情報読出回路と、読み出した前記情報を前記複製記録媒体へ書き込み、前記許諾情報を受信した場合に、受信した前記許諾情報を前記複製記録媒体へ書き込む書込回路とを備えることを特徴とする。
【００４８】
また、請求の範囲に記載の別の態様は、情報を記録しているオリジナル記録媒体から複製記録媒体への前記情報の複製を管理する管理装置で用いられる管理用のコンピュータプログラムを記録しているコンピュータ読み取り可能なプログラム記録媒体であって、コンピュータに、複製装置から前記オリジナル記録媒体を識別するオリジナル媒体識別子を受信し、前記情報の複製の許諾を示す許諾情報を前記複製装置へ送信する送受信ステップと、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップとを実行させるためのコンピュータ用プログラムを記録している。
【００４９】
また、請求の範囲に記載の別の態様は、情報を記録しているオリジナル記録媒体から複製記録媒体へ前記情報を複製する複製装置で用いられる複製用のコンピュータプログラムを記録しているコンピュータ読み取り可能なプログラム記録媒体であって、コンピュータに、前記オリジナル記録媒体を識別するオリジナル媒体識別子を取得する識別子取得ステップと、取得した前記オリジナル媒体識別子を管理装置へ送信し、前記管理装置から情報の複製の許諾を示す許諾情報を受信する送受信ステップと、前記オリジナル記録媒体から前記情報を読み出す情報読出ステップと、読み出した前記情報を前記複製記録媒体へ書き込み、前記許諾情報を受信した場合に、受信した前記許諾情報を前記複製記録媒体へ書き込む書込ステップとを実行させるためのコンピュータ用プログラムを記録している。
【００５０】
また、請求の範囲に記載の別の態様は、情報を記録しているオリジナル記録媒体から複製記録媒体への前記情報の複製を管理する管理装置と、前記情報を複製する複製装置とから構成される複製管理システムであって、前記管理装置は、複製装置から前記オリジナル記録媒体を識別するオリジナル媒体識別子を受信し、前記情報の複製の許諾を示す許諾情報を前記複製装置へ送信する送受信手段と、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御手段とを備え、前記複製装置は、前記オリジナル記録媒体を識別するオリジナル媒体識別子を取得する識別子取得手段と、取得した前記オリジナル媒体識別子を管理装置へ送信し、前記管理装置から情報の複製の許諾を示す許諾情報を受信する送受信手段と、前記オリジナル記録媒体から前記情報を読み出す情報読出手段と、読み出した前記情報を前記複製記録媒体へ書き込み、前記許諾情報を受信した場合に、受信した前記許諾情報を前記複製記録媒体へ書き込む書込手段とを備えることを特徴とする。
【００５１】
以下本発明の実施の形態について、図面を参照しながら説明する。
【００５２】
１．実施の形態１
本発明に係る一の実施の形態としての複製管理システム１０ａについて説明する。
【００５３】
複製管理システム１０ａは、図１７に示すように、管理装置１０５ａ及び複製装置１０４ａから構成されている。
【００５４】
管理装置１０５ａは、情報を記録しているオリジナル記録媒体１０１ａから複製記録媒体１０２ａへの前記情報の複製を管理する。管理装置１０５ａは、送受信部７０１ａと制御部７０８ａとから構成されている。
【００５５】
送受信部７０１ａは、複製装置１０４ａからオリジナル記録媒体１０１ａを識別するオリジナル媒体識別子を受信する。また、前記情報の複製の許諾を示す許諾情報を前記複製装置１０４ａへ送信する。
【００５６】
制御部７０８ａは、受信したオリジナル媒体識別子と、登録されているオリジナル記録媒体を識別するオリジナル媒体識別子とに基づいて、受信した前記オリジナル媒体識別子により識別されるオリジナル記録媒体１０１ａに記録されている情報の複製を許諾するか否かを判断し、許諾すると判断する場合に、前記許諾情報の送信を許可する。
【００５７】
複製装置１０４ａは、情報を記録しているオリジナル記録媒体１０１ａから複製記録媒体１０２ａへ前記情報を複製する。複製装置１０４ａは、識別子取得部６０１ａ、送受信部６０８ａ、情報読出部６０６ａ及び書込部６０７ａから構成されている。
【００５８】
識別子取得部６０１ａは、オリジナル記録媒体１０１ａを識別するオリジナル媒体識別子を取得する。
【００５９】
送受信部６０８ａは、取得した前記オリジナル媒体識別子を管理装置１０５ａへ送信する。また、管理装置１０５ａから情報の複製の許諾を示す許諾情報を受信する。
【００６０】
情報読出部６０６ａは、オリジナル記録媒体１０１ａから前記情報を読み出す。
【００６１】
書込部６０７ａは、読み出した前記情報を複製記録媒体１０２ａへ書き込み、前記許諾情報を受信した場合に、受信した前記許諾情報を複製記録媒体１０２ａへ書き込む。
【００６２】
２．実施の形態２
本発明に係る別の実施の形態としてのコンテンツ記録システム１０について説明する。
【００６３】
２．１  コンテンツ記録システム１０の構成
コンテンツ記録システム１０は、図１に示すように、記録媒体１０１（以下、ディスク１０１）、記録媒体１０２（以下、カード１０２）、ディスク製造装置１０３、記録装置１０４、サーバ装置１０５、携帯装置１０６から構成される。
【００６４】
コピー用コンテンツが記録されたディスク１０１が記録装置１０４に挿入され、記録装置１０４は、コピーの許諾を得るためにサーバ装置１０５に接続し、許諾を得た後、当該コピー用コンテンツをカード１０２へ書き込み、ユーザは携帯装置１０６へカード１０２を挿入して、コピー用コンテンツを視聴する。
【００６５】
ディスク１０１は、図２に示すように、コピー用コンテンツ記録領域２０１、ディスク識別子記録領域２０２、本編コンテンツ記録領域２０３から構成され、コピー用コンテンツ記録領域２０１には、カード１０２へのコピー可能な１以上のコンテンツが記録されている。
【００６６】
図２の例では、「ＡＢＣ」という名前（タイトル）の映画が２種類の解像度で記録されている例を示している。１つはＶＧＡ（Ｖｉｄｅｏ  Ｇｒａｐｈｉｃｓ  Ａｒｒａｙ）と呼ばれる６４０×４８０ピクセルの画像サイズの映像であり、もう１つはＱＶＧＡ（Ｑｕａｒｔｅｒ  ＶＧＡ）と呼ばれる３２０×２４０ピクセルの画像サイズの映像である。コピー用コンテンツ記録領域２０１には、映画のタイトル名２１１ａ、２１１ｂ、解像度情報２１２ａ、２１２ｂに加えて、記録装置１０４が許諾をリクエストすべきサーバ装置１０５の接続情報（ＵＲＬ）２１３ａ、２１３ｂなどの情報も合わせて記録されている。
【００６７】
ディスク識別子記録領域２０２には、当該ディスクを一意に識別するための識別子（ＩＤ）が記録されており、この識別子はサーバ装置１０５によるコピー管理に利用される。
本編コンテンツ記録領域２０３には、より高画質な本編映像が記録されており、ユーザは大画面テレビで当該本編映像を視聴し、画面の小さな携帯装置１０６で解像度が抑えられたコピー用コンテンツを視聴することを想定するが、本編映像のデータ構造、再生手順などについては、ＤＶＤ−Ｖｉｄｅｏなどの汎用なものでよく、その説明は省略する。
【００６８】
カード１０２は、図３に示すように、鍵集合記録領域３０１、カード識別子記録領域３０２、暗号化タイトル鍵記録領域３０３、暗号化コンテンツ記録領域３０４から構成され、鍵集合記録領域３０１には、１以上のデバイス鍵で暗号化されたメディア鍵の集合（１以上の暗号化メディア鍵の集合）が記録されている。
【００６９】
鍵集合３１１の例を図４に示す。図４の例では、メディア鍵が、デバイス鍵１、デバイス鍵２、・・・、デバイス鍵ＮのＮ個のデバイス鍵でそれぞれ暗号化されている（Ｅｎｃ（Ａ，Ｂ）は、データＢを、データＡを鍵として用いて暗号化を施すことを意味する）。暗号化アルゴリズムについては、ＤＥＳ（Data Encryption Standard）、ＡＥＳ（Advanced Encryption Standard）などの汎用の暗号アルゴリズムでよく、その説明は省略する。
【００７０】
カード識別子記録領域３０２には、当該カードを一意に識別するための識別子（ＩＤ）が記録されており、この識別子はサーバ装置１０５によるコピー管理に利用される。
【００７１】
暗号化タイトル鍵記録領域３０３には、記録装置１０４がサーバ装置１０５から受信した暗号化タイトル鍵が記録され、暗号化コンテンツ記録領域３０４には、記録装置１０４が、ディスク１０１から読み出した暗号化コンテンツが記録される。
【００７２】
ディスク製造装置１０３は、コピー用コンテンツにタイトル鍵を用いて暗号化を施し、ディスク１０１のコピー用コンテンツ記録領域２０１に暗号化コンテンツを記録し、ディスク識別子記録領域２０２に当該ディスク１０１を一意に識別可能な識別子（ＩＤ）を記録する。さらに、暗号化を施したコンテンツのタイトル情報（映画名、識別情報など）と、暗号化に使用したタイトル鍵と、当該暗号化コンテンツを記録した１以上のディスク１０１の１以上のディスク識別子をサーバ装置１０５へ送信する。ディスク製造装置１０３については、以降でその詳細を述べる。
【００７３】
記録装置１０４は、挿入されたディスク１０１からコピー用コンテンツを読み出すと共に、サーバ装置１０５へ接続して、ディスク１０１から読み出したタイトル情報と、ディスク識別子と、カード１０２から読み出した鍵集合と、カード識別子をサーバ装置１０５へ送信して、サーバ装置１０５から、コピーの許諾として暗号化タイトル鍵を受信する。さらに、ディスク１０１から読み出した暗号化コンテンツと、サーバ装置１０５から受信した暗号化タイトル鍵を、カード１０２の暗号化コンテンツ記録領域３０４と、暗号化タイトル鍵記録領域３０３とにそれぞれ記録する。記録装置１０４については、以降でその詳細を述べる。
【００７４】
サーバ装置１０５は、ディスク製造装置１０３から、タイトル情報と、タイトル鍵と、１以上のディスク識別子を受信して、データベースとして登録する。さらに、記録装置１０４から、タイトル情報と、ディスク識別子と、鍵集合と、カード識別子を受信して、登録し管理しているデータベースに基づいてコピーの許諾を与えるか否かを判断して、許諾を与えると判断した場合は、タイトル鍵に暗号化を施した暗号化タイトル鍵を、記録装置１０４へ送信する。サーバ装置１０５については、以降でその詳細を述べる。
【００７５】
携帯装置１０６は、挿入されたカード１０２に記録されている鍵集合、暗号化タイトル鍵、暗号化コンテンツを読み出してコンテンツの再生を行う。携帯装置１０６については、以降でその詳細を述べる。
【００７６】
２．２  ディスク製造装置１０３の構成
続いて、ディスク製造装置１０３の詳細な構成を説明する。
【００７７】
ディスク製造装置１０３は、図５に示すように、コンテンツ取得手段５０１、タイトル鍵生成手段５０２、暗号化手段５０３、タイトル情報受付手段５０４、ディスク記録手段５０５、ディスク識別子受付手段５０６、送受信手段５０７、制御手段５０８から構成される。
【００７８】
ディスク製造装置１０３は、具体的には図示されていないマイクロプロセッサ、及びＲＡＭ、ＲＯＭ、ハードディスクなどから構成される。前記ＲＡＭ、ＲＯＭ、及びハードディスクにはコンピュータプログラムが記憶されており、前記マイクロプロセッサが前記プログラムに従って動作することにより、ディスク製造装置１０３はその機能を果たす。
【００７９】
なお、ディスク製造装置１０３においては、図５に示すように、コンテンツ取得手段５０１、タイトル鍵生成手段５０２、暗号化手段５０３、タイトル情報受付手段５０４、ディスク記録手段５０５、ディスク識別子受付手段５０６、送受信手段５０７、制御手段５０８等の各機能ブロックは典型的には集積回路であるＬＳＩとして実現される。これらは個別に１チップ化されても良いし、１以上の手段、又は各手段の一部を含むように１チップ化されてもよい。
【００８０】
ここでは、ＬＳＩとしたが、集積度の違いにより、ＩＣ、システムＬＳＩ、スーパーＬＳＩ、ウルトラＬＳＩと呼称されることもある。
【００８１】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【００８２】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００８３】
最後に、各機能ブロックは、ソフトウェアで実現されてもよいし、ＬＳＩとソフトウェアの組み合わせで実現されてもよい。また、ソフトウェアは耐タンパ化されていても良い。
【００８４】
（１）  コンテンツ取得手段５０１
コンテンツ取得手段５０１は、コピー用コンテンツとしてディスク１０１に記録するデジタルコンテンツを外部から取得する。
【００８５】
（２）  タイトル鍵生成手段５０２
タイトル鍵生成手段５０２は、コンテンツ取得手段５０１が取得したコンテンツを暗号化するためのタイトル鍵を生成する。その生成方法は、例えば乱数発生器を使用して乱数列を発生させ、その乱数列から１２８ビットのデータ列を切り出してタイトル鍵とする、などの方法がある。
【００８６】
（３）  暗号化手段５０３
暗号化手段５０３は、タイトル鍵生成手段５０２が生成したタイトル鍵を用いて、コンテンツ取得手段５０１が取得したコンテンツを暗号化する。暗号化アルゴリズムについては、ＤＥＳ、ＡＥＳなどの汎用の暗号アルゴリズムでよく、その説明は省略する。
【００８７】
（４）  タイトル情報受付手段５０４
タイトル情報受付手段５０４は、前記コンテンツ取得手段５０１が取得したコンテンツのタイトル名、解像度、タイトル鍵を登録するサーバのＵＲＬなどのタイトル情報の入力を受け付ける。
【００８８】
（５）  ディスク記録手段５０５
ディスク記録手段５０５は、暗号化手段５０３が暗号化した暗号化コンテンツと、タイトル情報受付手段５０４が取得したタイトル情報などをディスク１０１に記録する。
【００８９】
（６）  ディスク識別子受付手段５０６
ディスク識別子受付手段５０６は、ディスク記録手段５０５が記録した１以上のディスクのディスク識別子の入力を受け付ける。
【００９０】
（７）  送受信手段５０７
送受信手段５０７は、タイトル情報受付手段５０４で受け付けたタイトル情報、タイトル鍵生成手段５０２が生成したタイトル鍵、ディスク識別子受付手段５０６が受け付けた１以上のディスク識別子をサーバ装置１０５へ送信する。
【００９１】
（８）  制御手段５０８
制御手段５０８は、上記（１）〜（７）の各手段を管理し制御して、ディスクへの記録、サーバ装置１０５へのデータ送信を実現する。
【００９２】
２．３  記録装置１０４の構成
続いて、記録装置１０４の詳細な構成を説明する。
【００９３】
記録装置１０４は、図６に示すように、ディスク確認手段６０１、接続状態確認手段６０２、カード容量確認手段６０３、表示手段６０４、ユーザ入力受付手段６０５、ディスク読出手段６０６、カード読出／記録手段６０７、送受信手段６０８、制御手段６０９から構成される。
【００９４】
記録装置１０４は、具体的には図示されていないマイクロプロセッサ、及びＲＡＭ、ＲＯＭ、ハードディスクなどから構成される。前記ＲＡＭ、ＲＯＭ、及びハードディスクにはコンピュータプログラムが記憶されており、前記マイクロプロセッサが前記プログラムに従って動作することにより、記録装置１０４はその機能を果たす。
【００９５】
なお、記録装置１０４においては、図６に示すように、ディスク確認手段６０１、接続状態確認手段６０２、カード容量確認手段６０３、表示手段６０４、ユーザ入力受付手段６０５、ディスク読出手段６０６、カード読出／記録手段６０７、送受信手段６０８、制御手段６０９等の各機能ブロックは典型的には集積回路であるＬＳＩとして実現される。これらは個別に１チップ化されても良いし、１以上の手段、又は各手段の一部を含むように１チップ化されてもよい。その一例を図１６に示す。
【００９６】
ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【００９８】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００９９】
最後に、各機能ブロックは、ソフトウェアで実現されてもよいし、ＬＳＩとソフトウェアの組み合わせで実現されてもよい。また、ソフトウェアは耐タンパ化されていても良い。
【０１００】
（１）  ディスク確認手段６０１
ディスク確認手段６０１は、挿入されたディスク１０１のコピー用コンテンツ記録領域２０１にコピー用のコンテンツが記録されているか否かを確認する。
【０１０１】
（２）  接続状態確認手段６０２
接続状態確認手段６０２は、記録装置１０４に、カード１０２が直接挿入されているか、カード１０２が挿入された携帯装置１０６が有線接続されているか、カード１０２が挿入された携帯装置１０６が無線接続されているか、などのカード１０２の接続状態を確認する。
【０１０２】
（３）  カード容量確認手段６０３
カード容量確認手段６０３は、記録装置１０４に直接的に、又は間接的に接続されているカード１０２の空きサイズと、ディスク１０１に記録されているコピー用コンテンツのサイズを比較して、コピー（書き込み）可能か否かを判断する。
【０１０３】
（４）  表示手段６０４
表示手段６０４は、ディスク１０１に記録されているコピー用コンテンツの種類（タイトル名、解像度など）をユーザへ提示する。
【０１０４】
（５）  ユーザ入力受付手段６０５
ユーザ入力受付手段６０５は、表示手段６０４が提示した選択肢のうち、ユーザが選択したものを受け付ける。
【０１０５】
（６）  ディスク読出手段６０６
ディスク読出手段６０６は、ユーザにより選択されたコピー用コンテンツをディスク１０１から読み出し、内部に一時蓄積する。
【０１０６】
（７）  カード読出／記録手段６０７
カード読出／記録手段６０７は、カード１０２の鍵集合記録領域３０１と、カード識別子記録領域３０２から、鍵集合と、カード識別子とを読み出す。ディスク１０１から読み出した暗号化コンテンツと、サーバ装置１０５から受信した暗号化タイトル鍵とを、カード１０２の暗号化コンテンツ記録領域３０４と暗号化タイトル鍵記録領域３０３とへそれぞれ書き込む。
【０１０７】
（８）  送受信手段６０８
送受信手段６０８は、ディスク１０１から読み出したタイトル情報と、ディスク識別子と、カード１０２から読み出した鍵集合と、カード識別子をサーバ装置１０５へ送信し、サーバ装置１０５から暗号化タイトル鍵を受信する。
【０１０８】
（９）  制御手段６０９
制御手段６０９は、上記（１）〜（８）の各手段を管理し制御して、ディスク１０１からカード１０２へのコンテンツのコピーを実現する。
【０１０９】
２．４  サーバ装置１０５の構成
続いて、サーバ装置１０５の詳細な構成を説明する。
【０１１０】
サーバ装置１０５は、図７に示すように、送受信手段７０１、データベース管理手段７０２、デバイス鍵保持手段７０３、鍵集合処理手段７０４、鍵変換手段７０５、タイトル鍵選択手段７０６、暗号化手段７０７、制御手段７０８から構成される。
【０１１１】
サーバ装置１０５は、具体的には図示されていないマイクロプロセッサ、ＲＡＭ、ＲＯＭ、ハードディスクなどから構成される。前記ＲＡＭ、ＲＯＭ、及びハードディスクにはコンピュータプログラムが記憶されており、前記マイクロプロセッサが前記プログラムに従って動作することにより、サーバ装置１０５はその機能を果たす。
【０１１２】
なお、サーバ装置１０５においては、図７に示すように、送受信手段７０１、データベース管理手段７０２、デバイス鍵保持手段７０３、鍵集合処理手段７０４、鍵変換手段７０５、タイトル鍵選択手段７０６、暗号化手段７０７、制御手段７０８等の各機能ブロックは典型的には集積回路であるＬＳＩとして実現される。これらは個別に１チップ化されても良いし、１以上の手段、又は各手段の一部を含むように１チップ化されてもよい。
【０１１３】
ここでは、ＬＳＩとしたが、集積度の違いにより、ＩＣ、システムＬＳＩ、スーパーＬＳＩ、ウルトラＬＳＩと呼称されることもある。
【０１１４】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１１５】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１１６】
最後に、各機能ブロックは、ソフトウェアで実現されてもよいし、ＬＳＩとソフトウェアの組み合わせで実現されてもよい。また、ソフトウェアは耐タンパ化されていても良い。
【０１１７】
（１）  送受信手段７０１
送受信手段７０１は、ディスク製造装置１０３から、タイトル情報と、タイトル鍵と、１以上のディスク識別子を受信する。さらに、記録装置１０４から、タイトル情報と、ディスク識別子と、鍵集合と、カード識別子を受信し、記録装置１０４に、暗号化タイトル鍵を送信する。
【０１１８】
（２）  データベース管理手段７０２
データベース管理手段７０２は、送受信手段７０１が、ディスク製造装置１０３から受信したタイトル情報と、タイトル鍵と、１以上のディスク識別子をデータベースへ登録する。
【０１１９】
データベースの一例としてのデータベース７１１ａを図１４に示す。図１４の例では、タイトル名「ABC」のコンテンツに関して、VGAと、QVGAの２種類のコピー用コンテンツがディスク１０１に記録されており、VGAのコンテンツは、タイトル鍵７１２「０ｘFE・・・２３」を用いて暗号化されており、QVGAのコンテンツは、タイトル鍵７１３「０ｘD6・・・３２」を用いて暗号化されていることを意味する。さらに、タイトル名「ABC」のコンテンツのコピー用コンテンツは複数のディスクに記録されており、それぞれのディスクのディスク識別子７１４、７１５、・・・、７１６は、「００・・・１１」、「００・・・１２」、・・・、「００・・・A3」であることを意味する。また、コピー回数を管理するために、許諾するコピーの最大回数７１７、７１８、・・・、７１９（図１４の例では最大５回）も記録する。
【０１２０】
さらに、制御手段７０８が、記録装置１０４から受信したタイトル情報、ディスク識別子、カード識別子に基づき、当該記録装置１０４に対して、コピー許諾（暗号化タイトル鍵）を送信するか否かを判断する。最後に、記録装置１０４から、カード１０２への記録が完了したことを示す完了通知を受信した後に、データベース管理手段７０２は、コピー用コンテンツを記録したカード１０２のカード識別子を登録する。
【０１２１】
データベースの一例としてのデータベース７１１ｂを図１５に示す。図１５の例では、ディスク識別子７１４「００・・・１１」のディスクから、２枚のカードにＶＧＡのコンテンツが既にコピーされていることを意味し、コピー先のカードのカード識別子７２１、７２２はそれぞれ「Ｆ２・・・０１」、「１２・・・９６」である。さらに、ディスク識別子７３１「００・・・１２」のディスクから、１枚のカードにＱＶＧＡのコンテンツが既にコピーされていることを意味し、コピー先のカードのカード識別子７３２は「６２・・・Ｂ８」である。
【０１２２】
（３）  デバイス鍵保持手段７０３
デバイス鍵保持手段７０３は、記録装置１０４から受信した鍵集合に含まれる暗号化メディア鍵を復号するためのデバイス鍵を保持する。
【０１２３】
（４）  鍵集合処理手段７０４
鍵集合処理手段７０４は、鍵集合から暗号化メディア鍵を抽出して、デバイス鍵保持手段７０３が保持するデバイス鍵を用いて暗号化メディア鍵を復号してメディア鍵を得る。
【０１２４】
（５）  鍵変換手段７０５
鍵変換手段７０５は、鍵集合処理手段７０４が得たメディア鍵を、記録装置１０４から受信したカード識別子を用いて変換してメディアユニーク鍵を生成する。ここで、変換の方法は汎用的な任意の方法でよく、例えば、メディア鍵とカード識別子を一方向性関数に入力して、その出力の一部、又は全部をメディアユニーク鍵とする構成でよい。
【０１２５】
（６）  タイトル鍵選択手段７０６
タイトル鍵選択手段７０６は、記録装置１０４から受信したタイトル情報、ディスク識別子、カード識別子に基づき、データベースからタイトル鍵を選択する。
【０１２６】
（７）  暗号化手段７０７
暗号化手段７０７は、タイトル鍵選択手段７０６が選択したタイトル鍵を、鍵変換手段７０５が生成したメディアユニーク鍵を用いて暗号化し、暗号化タイトル鍵を生成する。
【０１２７】
（８）  制御手段７０８
制御手段７０８は、上記（１）〜（７）の各手段を管理し制御して、データベース管理手段７０２が管理するデータベースに基づき、記録装置１０４に対してコピーの許諾（暗号化タイトル鍵）を与えるか否かの判断を行い、暗号化タイトル鍵を与える、と判断した場合は、暗号化タイトル鍵の送信を実現する。
【０１２８】
２．５  携帯装置１０６の構成
続いて、携帯装置１０６の詳細な構成を説明する。
【０１２９】
携帯装置１０６は、図８に示すように、カード読出手段８０１、デバイス鍵保持手段８０２、鍵集合処理手段８０３、鍵変換手段８０４、タイトル鍵復号手段８０５、コンテンツ復号手段８０６、コンテンツ再生手段８０７、制御手段８０８から構成される。
【０１３０】
携帯装置１０６は、具体的には図示されていないマイクロプロセッサ、ＲＡＭ、ＲＯＭ、ハードディスクなどから構成される。前記ＲＡＭ、ＲＯＭ、及びハードディスクにはコンピュータプログラムが記憶されており、前記マイクロプロセッサが前記プログラムに従って動作することにより、携帯装置１０６はその機能を果たす。
【０１３１】
なお、携帯装置１０６においては、図８に示すように、カード読出手段８０１、デバイス鍵保持手段８０２、鍵集合処理手段８０３、鍵変換手段８０４、タイトル鍵復号手段８０５、コンテンツ復号手段８０６、コンテンツ再生手段８０７、制御手段８０８等の各機能ブロックは典型的には集積回路であるＬＳＩとして実現される。これらは個別に１チップ化されても良いし、１以上の手段、又は各手段の一部を含むように１チップ化されてもよい。
ここでは、ＬＳＩとしたが、集積度の違いにより、ＩＣ、システムＬＳＩ、スーパーＬＳＩ、ウルトラＬＳＩと呼称されることもある。
【０１３２】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０１３３】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０１３４】
最後に、各機能ブロックは、ソフトウェアで実現されてもよいし、ＬＳＩとソフトウェアの組み合わせで実現されてもよい。また、ソフトウェアは耐タンパ化されていても良い。
【０１３５】
（１）  カード読出手段８０１
カード読出手段８０１は、挿入されたカード１０２から、鍵集合、カード識別子、暗号化タイトル鍵、暗号化コンテンツを読み出す。
【０１３６】
（２）  デバイス鍵保持手段８０２
デバイス鍵保持手段８０２は、カード１０２から読み出した鍵集合に含まれる暗号化メディア鍵を復号するためのデバイス鍵を保持する。
【０１３７】
（３）  鍵集合処理手段８０３
鍵集合処理手段８０３は、鍵集合から暗号化メディア鍵を抽出して、デバイス鍵保持手段８０２が保持するデバイス鍵を用いて暗号化メディア鍵を復号してメディア鍵を得る。
【０１３８】
（４）  鍵変換手段８０４
鍵変換手段８０４は、鍵集合処理手段８０３が得たメディア鍵を、カード１０２から読み出したカード識別子を用いて変換してメディアユニーク鍵を生成する。ここで、変換の方法は汎用的な任意の方法でよく、例えば、メディア鍵とカード識別子を一方向性関数に入力して、その出力の一部、又は全部をメディアユニーク鍵とする構成でよい。
【０１３９】
（５）  タイトル鍵復号手段８０５
タイトル鍵復号手段８０５は、カード１０２から読み出した暗号化タイトル鍵を、鍵変換手段８０４で生成したメディアユニーク鍵を用いて復号してタイトル鍵を得る。
【０１４０】
（６）  コンテンツ復号手段８０６
コンテンツ復号手段８０６は、カード１０２から読み出した暗号化コンテンツを、タイトル鍵復号手段８０５で得たタイトル鍵を用いて復号してコンテンツを得る。
【０１４１】
（７）  コンテンツ再生手段８０７
コンテンツ再生手段８０７は、コンテンツ復号手段８０６で得たコンテツンを再生し、表示する。
【０１４２】
（８）  制御手段８０８
制御手段８０８は、上記（１）〜（７）の各手段を管理及び制御して、携帯装置１０６によるコンテンツの視聴を実現する。
【０１４３】
２．６  ディスク製造装置１０３の動作
ディスク製造装置１０３の動作について、図９を用いて説明する。
【０１４４】
まず、ディスク製造装置１０３のコンテンツ取得手段５０１は、コピー用コンテンツを外部から取得し（ステップＳ９０１）、タイトル情報受付手段５０４は、取得したコピー用コンテンツのタイトル情報（タイトル名、解像度など）の入力を受け付け（ステップＳ９０２）、タイトル鍵生成手段５０２は、取得したコンテンツを暗号化するためのタイトル鍵を生成して、暗号化手段５０３は、生成したタイトル鍵を用いてコンテンツを暗号化する（ステップＳ９０３）。次に、ディスク記録手段５０５は、暗号化したコンテンツをディスクへ記録し（ステップＳ９０４）、ディスク識別子受付手段５０６は、暗号化コンテンツを記録したディスクそれぞれのディスク識別子の入力を受け付け（ステップＳ９０５）、送受信手段は、タイトル情報受付手段５０４が取得したタイトル情報と、タイトル鍵生成手段５０２が生成したタイトル鍵と、ディスク識別子受付手段５０６が取得したディスク識別子をサーバ装置１０５へ送信する（ステップＳ９０６）。
【０１４５】
２．７  記録装置１０４及びサーバ装置１０５の動作
記録装置１０４及びサーバ装置１０５の動作について、図１０、図１１、図１２を用いて説明する。
【０１４６】
まず、記録装置１０４のディスク確認手段６０１は、挿入されたディスク１０１にコピー用コンテンツが記録されているか否かの確認を行い（ステップＳ１００１）、コピー用コンテンツが記録されていない場合（ステップＳ１００２でＮｏ）、記録装置１０４はコピー用コンテンツのカード１０２への記録は行わず処理を終了する（ステップＳ１００３）。次に、コピー用コンテンツが記録されている場合（ステップＳ１００２でＹｅｓ）、接続状態確認手段６０２は、カードが記録装置１０４に直接挿入されているか、カード１０２が挿入された携帯装置１０６が有線接続されているか、無線接続されているか、などの接続状態を確認し（ステップＳ１００４）、カード容量確認手段６０３は、直接的、又は間接的に接続されているカード１０２の空きサイズと、ディスク１０１に記録されているコピー用コンテンツのサイズを比較して、カード１０２への記録が可能か否かを判断し（ステップＳ１００５）、カードの空きサイズが十分でない場合（ステップＳ１００６でＮｏ）、表示手段６０４は、カード１０２の空きサイズが不十分な旨をユーザへ提示して、コピー用コンテンツの記録は行わず処理を終了する（ステップＳ１００７）。次に、カードの空きサイズが十分な場合（ステップＳ１００６でＹｅｓ）、表示手段６０４は、コピー用コンテンツの候補をユーザへ提示して、ユーザ入力受付手段６０５は、ユーザの入力を取得し（ステップＳ１１０１）、ディスク読出手段６０６は、ユーザにより選択されたコピー用コンテンツをディスク１０１から読み出し、内部で一時蓄積し（ステップＳ１１０２）、カード読出／記録手段６０７は、カード１０２から鍵集合と、カード識別子を読み出し、ディスク読出手段６０６は、ディスク１０１からタイトル情報と、ディスク識別子を読み出し、送受信手段６０８は、それら読み出した情報をサーバ装置１０５へ送信する（ステップＳ１１０３）。次に、サーバ装置１０５の送受信手段７０１は、記録装置１０４から、タイトル情報、ディスク識別子、鍵集合、カード識別子を受信し、制御手段７０８は、受信した各情報に基づき、管理するデータベースを参照して、カード１０２への記録を許諾するか否かを判断し（ステップＳ１１０４）、記録を許諾しない場合（ステップＳ１１０５でＮｏ）、送受信手段７０１は、記録ＮＧの情報を記録装置１０４へ送信し（ステップＳ１１０６）、記録装置１０４の送受信手段６０８は、記録ＮＧの情報をサーバ装置１０５から受信し、表示手段６０４は、その旨をユーザへ通知する（ステップＳ１１０７）。次に、記録を許諾する場合（ステップＳ１１０５でＹｅｓ）、サーバ装置１０５の鍵集合処理手段７０４は、記録装置１０４から受信した鍵集合を、デバイス鍵保持手段７０３で保持するデバイス鍵で復号してメディア鍵を得て（ステップＳ１２０１）、鍵変換手段７０５は、ステップＳ１２０１で得たメディア鍵を、記録装置１０４から受信したカード識別子を用いて変換してメディアユニーク鍵を算出し（ステップＳ１２０２）、暗号化手段７０７は、受信したタイトル情報に基づきデータベース管理手段７０２が抽出したタイトル鍵を、算出したメディアユニーク鍵を用いて暗号化して、送受信手段７０１は、暗号化タイトル鍵を記録装置１０４へ送信する（ステップＳ１２０３）。
【０１４７】
次に、記録装置１０４の送受信手段６０８は、暗号化タイトル鍵をサーバ装置１０５から受信し（ステップＳ１２０４）、カード読出／記録手段６０７は、一時蓄積している暗号化コンテンツと、受信した暗号化タイトル鍵をカード１０２へ記録し（ステップＳ１２０５）、カード読出／記録手段６０７は、暗号化コンテンツ、及び暗号化タイトル鍵が記録できたことを検証し、送受信手段６０８は、完了通知をサーバ装置１０５へ送信する（ステップＳ１２０６）。最後に、サーバ装置１０５の送受信手段７０１は、記録装置１０４から完了通知を受信して、データベース管理手段７０２は、既に受信済みのカード識別子をデータベースへ記録して処理を完了する（ステップＳ１２０７）。
【０１４８】
２．８  携帯装置１０６の動作
携帯装置１０６の動作について、図１３を用いて説明する。
【０１４９】
携帯装置１０６のカード読出手段８０１は、挿入されたカード１０２から、鍵集合、カード識別子、暗号化タイトル鍵、暗号化コンテンツを読み出し（ステップＳ１３０１）、鍵集合処理手段８０３は、鍵集合から暗号化メディア鍵を抽出して、デバイス鍵保持手段８０２が保持するデバイス鍵を用いて暗号化メディア鍵を復号してメディア鍵を得て（ステップＳ１３０２）、鍵変換手段８０４は、鍵集合処理手段８０３が得たメディア鍵を、カード１０２から読み出したカード識別子を用いて変換してメディアユニーク鍵を生成し（ステップＳ１３０３）、タイトル鍵復号手段８０５は、カード１０２から読み出した暗号化タイトル鍵を、鍵変換手段８０４で生成したメディアユニーク鍵を用いて復号してタイトル鍵を得て（ステップＳ１３０４）、コンテンツ復号手段８０６は、カード１０２から読み出した暗号化コンテンツを、タイトル鍵復号手段８０５で得たタイトル鍵を用いて復号してコンテンツを得て（ステップＳ１３０５）、コンテンツ再生手段８０７は、コンテンツ復号手段８０６で得たコンテツンを再生し表示する（ステップＳ１３０６）。
【０１５０】
３．その他の変形例
なお、本発明を上記実施の形態に基づいて説明してきたが、本発明は、上記実施の形態に限定されないのは、もちろんである。以下のような場合も本発明に含まれる。
【０１５１】
（１）上記実施の形態では、記録装置１０４のカード容量確認手段６０３は、カード１０２の空きサイズと、コピー用コンテンツのサイズを比較して、空きサイズが小さい場合に、記録できない旨をユーザに通知する構成としたが、本発明はこの構成に限定されるものではない。カード１０２の空きサイズは十分であっても、当該カードが記録装置により別の用途で使用されており、持ち出して携帯装置で視聴するには適さない場合、表示手段６０４が、その旨をユーザへ通知して、別のカードの挿入を促す構成であってもよい。別の用途とは、例えば、カード１０２が、記録装置のローカルストレージとして使用されている場合などである。
【０１５２】
（２）上記実施の形態では、ディスク１０１にはディスク識別子記録領域２０２があり、その領域に当該ディスクを一意に識別するためのディスク識別子が記録されており、記録装置１０４のディスク読出手段６０６は、ディスク１０１からディスク識別子を読み出す構成としたが、本発明はこの構成に限定されるものではない。ディスクを一意に識別する情報が、例えば、ディスク面やパッケージに印字されていたり、識別子の記載されたシートがパッケージに同梱されていたりしてもよい。この場合、ディスク読出手段６０６が、ディスクからディスク識別子を自動的に読み出すのではなく、表示手段６０４が識別子の入力を促す画面を表示して、ユーザ入力受付手段６０５が、ユーザからの入力を受け付けて、送受信手段６０８が入力された識別子をサーバ装置１０５へ送信する。記録装置１０４のディスク確認手段６０１が、ディスク上のディスク識別子の有無を確認し、確認した結果に基づき、ユーザへの入力を促すか否かを判断する構成であってもよい。
【０１５３】
さらに、ディスク識別子が存在する場合であっても、当該ディスク識別子を自動的に読み出し、サーバ装置１０５へ送信する構成ではなく、表示手段６０４が、一度、ユーザへ送信するか否かの判断を求める構成であってもよい。例えば、表示手段６０４は、読み出したディスク識別子を画面へ表示すると共に、ユーザが識別子を入力可能な状態にして、表示しているディスク識別子をサーバ装置１０５へ送信するのか、ユーザが入力する識別子を送信するのかを、ユーザに選択させる構成であってもよい。この構成は、ディスクに記録されているディスク識別子に何か問題があり、別途ユーザが入力する識別子により、サーバ装置１０５がコピーを許諾する場合などに有効である。
【０１５４】
（３）上記実施の形態では、記録装置１０４の表示手段６０４は、ディスクに複数のコピー用コンテンツが存在する場合、ユーザにコピーの候補を提示する構成としているが、表示手段６０４は、記録装置の仕様（ハードディスクドライブの有無など）や、携帯端末の仕様に応じて、推奨するコピー用コンテンツの候補を、色付け、又は太い文字などで強調したり、逆に推奨しないコピー用コンテンツを、グレーアウトしたり、表示しない構成であってもよい。
【０１５５】
また、表示手段６０４、及びユーザ入力受付手段６０５は、ユーザが所有する携帯装置のメーカ、型番などの入力を促す画面を表示し、ユーザからの入力を受け付け、記録装置１０４自身が保持する携帯装置の仕様リスト、又は外部に接続して入手する携帯装置の仕様リストから、当該携帯装置１０６が、ディスクに記録されているコピー用コンテンツの何れに対応しているか否かを判断する判断手段を備え、前記判断手段の判断結果に基づき、表示手段６０４が表示形態を変える構成であってもよい。さらに、サーバ装置１０５が、携帯装置の仕様リストを保持する保持手段を備え、記録装置１０４のリクエストに応じて、仕様リストを送信したり、記録装置１０４から受信した携帯装置のメーカ、型番などから、当該携帯装置の仕様を送信したりする構成であってもよい、
ここで、携帯装置１０６の仕様とは、例えば、ＱＶＧＡのコンテンツの再生には対応しているが、ＶＧＡのコンテンツの再生には対応していない場合や、携帯装置１０６にカード１０２を挿入した状態で、記録装置１０４との有線／無線接続によって、コンテンツの記録が行えるか否か、などである。ユーザが所有する携帯装置１０６がＶＧＡのコンテンツの再生には対応していない場合、ディスク１０１にＶＧＡのコンテンツが記録されていても、前記判断手段の判断結果に基づき、表示手段６０４は、コピー用コンテンツの候補としてＶＧＡのコンテンツを表示しない、などが考えられる。また、当該携帯装置１０６が、記録装置１０４との有線接続による書き込みには対応していない場合、記録装置１０４の接続状態確認手段６０２が、有線により携帯装置が接続されている、と確認した場合、前記判断手段は、当該携帯装置１０６の仕様、及び接続形態の両方に基づいて、ユーザへ注意を促す必要があるか否かを判断し、有線接続による書き込みに対応していない場合（注意を促す必要ありと判断した場合）、表示手段６０４は、前記判断手段の判断結果に基づいて注意画面を表示する構成であってもよい。
【０１５６】
（４）上記実施の形態では、サーバ装置１０５の送受信手段７０１は、記録装置１０４に対して暗号化タイトル鍵を送信する構成としたが、暗号化タイトル鍵に加えて、追加のコンテンツを一緒に送信する構成であってもよい。また、記録装置１０４のカード読出／記録手段６０７は、サーバ装置１０５から受信した追加コンテンツを、ディスクから読み出したコンテンツと、直接的に、又は擬似的に連結させて、カード１０２に書き込む構成であってもよい。
【０１５７】
さらに、カード読出／記録手段６０７は、例えば、コンテンツが複数のエピソードからなるシリーズものである場合に、他のエピソードのサイズを外部から取得して、カード１０２に同サイズのダミーデータを記録して容量を確保すると共に、前記他のエピソードのタイトル情報を記録装置１０４が管理することで、次回、他のエピソードを記録する際に、ダミーデータを上書きして記録する構成であってもよい。
【０１５８】
（５）上記実施の形態において、ディスク１０１に記録されているディスク識別子、又はユーザが入力するディスク識別子に、コピーを許可する有効期限が含まれている構成であってもよい。または、ディスク上のタイトル情報の中に、タイトル名、解像度、ＵＲＬに加えて、コピー許可期限を記録する構成であってもよい。記録装置１０４のディスク確認手段６０１が、前記コピー許可期限、及び現在の日時の両方を確認し、確認の結果、許可期限が過ぎている場合は、サーバ装置１０５への接続を行わなかったり、ユーザへ期限切れの旨を通知したりする構成であってもよい。さらに、確認の結果、有効期限までの残日数がある一定のしきい値よりも少ない場合、その旨をユーザへ通知する構成であってもよい。
【０１５９】
（６）上記実施の形態において、サーバ装置１０５のデータベース管理手段７０２は、ディスク１０１のディスク識別子と、カード１０２のカード識別子の組みでコピーを管理しており、記録装置１０４が、カードへの書き込みに失敗したり、ユーザが誤ってカード１０２のコンテンツを削除してしまった場合に、記録装置１０４からの暗号化タイトル鍵の再送要求に対して、サーバ装置１０５のデータベース管理手段７０２は、記録装置１０４から受信したディスク識別子と、カード識別子の組みが、データベースの組みと一致した場合に限り、暗号化タイトル鍵の再送を許可する構成であってもよい。この場合、再送であるため、データベースで管理する「現在のコピー数」は増加せず、書き込み失敗や、ユーザによる意図しないコンテンツの削除にも対応可能であり、サーバ装置１０５は、同一のカード１０２に対してのみ有効な暗号化タイトル鍵を送信するため、コピーされたカードの枚数も増加しない。
【０１６０】
さらに、サーバ装置１０５のデータベース管理手段７０２は、記録装置１０４が、書き込み失敗を確認できた場合、記録装置１０４からのキャンセル要求に応じて、カード識別子のデータベースへの登録を行わない構成であってもよい。この場合、サーバ装置１０５は、記録装置１０４を認証した上で、正しい記録装置であることが確認済みであり、サーバ装置１０５と、記録装置１０４の間はＳＳＬなどのセキュアな通信路で結ばれているとする。記録装置１０４は、カード１０２が挿入された状態が維持され、書き込みに失敗したことが確認できた場合にキャンセル要求をサーバ装置１０５へ送信し、ユーザが故意にカード１０２を抜いたなど、書き込みに失敗したか否かの確認ができない状態の場合は、サーバ装置１０５へのキャンセル要求を行わない構成であってもよい。
【０１６１】
（７）上記実施の形態において、コンテンツが複数のエピソードからなるシリーズものの場合、サーバ装置１０５のデータベース管理手段７０２は、同一のカード１０２に全エピソードがコピーされたことを確認できた場合に、追加のコンテンツの送信を許可する構成であってもよい。
【０１６２】
また、記録装置１０４が装置識別子（装置ＩＤ）を保持して、記録装置１０４の送受信手段６０８が、記録装置１０４の装置識別子を送信する構成であったり、利用するユーザの識別子（ユーザＩＤ）の入力を求めて送信する構成であってもよく、その場合、同一記録装置、又は同一ユーザにより全エピソードがコピーされたことが確認できた場合は、同様に追加のコンテンツを送信する構成であってもよい。
【０１６３】
さらに、追加のコンテンツ自身を送信するのではなく、許諾（暗号化タイトル鍵）のみを送信して、暗号化コンテンツは別途入手する構成であってもよい。
【０１６４】
（８）上記実施の形態において、記録装置１０４が装置識別子（装置ＩＤ）を保持し、サーバ装置１０５に送信する構成であってもよく、サーバ装置１０５は、暗号化タイトル鍵の再送要求を行った記録装置１０４の装置識別子とその回数を記録する装置識別子記録手段を備え、再送要求の回数が、事前に設定されたしきい値を超える場合は再送に応じないとする構成であってもよい。
【０１６５】
（９）上記実施の形態において、ディスク１０１に複数のコピー用コンテンツが記録されており、個々のコピー用コンテンツで接続すべきサーバ装置が異なる場合、複数のサーバ装置間でコピー回数などのデータベースを共有する構成であってもよい。この構成により、より厳密なコピー数の管理を実現することが可能となる。
【０１６６】
（１０）上記実施の形態では、ディスク１０１に記録されたコピー用コンテンツを、カード１０２にコピー（記録）する構成としたが、本発明はその構成に限定されるものではない。メモリカード、ＵＳＢメモリ、ハードディスクドライブ、機器の内蔵メモリなどに記録されているコピー用コンテンツを、ディスク、ＵＳＢメモリ、ハードディスクディスク、携帯装置の内蔵メモリなどにコピー（記録）する構成であってもよい。
【０１６７】
（１１）上記実施の形態において、記録装置１０４、サーバ装置１０５、カード１０２のそれぞれが相互認証を実行するための相互認証手段を備え、記録装置１０４とサーバ装置１０５の間、あるいは記録装置１０４とカード１０２の間で相互認証を実施し、セキュアな通信路を確立した上で、データ及び情報の送受信、読出／書込を実施する構成であってもよい。
【０１６８】
（１２）上記実施の形態では、記録装置１０４による実施例を説明したが、本発明は記録装置１０４に限定されるものではない。ディスクの読み出しが可能であり、カードの直接挿入、又は有線／無線による携帯装置との接続が行える装置であれば、再生装置であってもよい。さらに、内蔵メモリやハードディスクドライブにコピー用コンテンツを記録して、そこからコピーを行う構成であれば、テレビやＳＴＢなどであってもよい。
【０１６９】
（１３）上記実施の形態では、ディスク１０１に記録するタイトル情報は、タイトル名、解像度、ＵＲＬとしたが、本発明はこの構成に限定されるものではない。これらの情報に加えて、コーデックの情報、使用している著作権保護技術の情報、映像／音楽などのコンテンツの種類に関する情報、コピーを許可する有効期限の情報などが記録されている構成であってもよい。逆に、ＵＲＬは、デフォルトのＵＲＬを記録装置１０４が記憶しておく構成であってもよい。
【０１７０】
（１４）上記実施の形態では、サーバ装置１０５で、カード１０２のカード識別子を用いてタイトル鍵を暗号化する構成としたが、本発明はこの構成に限定されるものではない。サーバ装置１０５と、記録装置１０４の間で相互認証を行い、鍵を共有して安全な通信路を確立した上で、共有した鍵でタイトル鍵を暗号化して、サーバ装置１０５から、記録装置１０４へ暗号化タイトル鍵を送信し、記録装置１０４では、受信した暗号化タイトル鍵を、共有している鍵で復号して、記録装置１０４が、上記実施の形態でサーバ装置１０５が行っている鍵集合処理、鍵変換を実施して、カード１０２に記録する暗号化タイトル鍵を生成する構成であってもよい。
【０１７１】
また、サーバ装置１０５と、記録装置１０４の間で相互認証を行い、鍵を共有して安全な通信路を確立した上で、共有した鍵で暗号化タイトル鍵を暗号化して二重暗号化タイトル鍵を生成し、サーバ装置１０５から、記録装置１０４へ二重暗号化タイトル鍵を送信し、記録装置１０４では、受信した二重暗号化タイトル鍵を、共有している鍵で復号して、暗号化タイトル鍵を生成し、記録装置１０４が、暗号化タイトル鍵をカード１０２に記録してもよい。
【０１７２】
（１５）上記実施の形態では、サーバ装置１０５は、ディスク１０１のディスク識別子と、カード１０２のカード識別子の対を記憶して管理する構成としたが、本発明はこの構成に限定されるものではない。ディスク識別子と、記録装置を識別する識別子、又は、ディスク識別子と、ユーザを識別する識別子の対を記憶して管理する構成であってもよい。また、再送要求に対しては、予め定められたしきい値を設定しておき、例えば、同一のユーザであっても、しきい値を越える再生要求には応じない構成であってもよい。
【０１７３】
（１６）上記実施の形態では、１つの装置が複数の機能（構成要素）を持つ構成としたが、本発明はこの構成に限定されるものではない。各機能（構成要素）が複数の装置に分かれ、それらの組み合わせにより同様の効果や機能が実現される場合も本発明に含まれる。
【０１７４】
（１７）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０１７５】
（１８）実施の形態１の管理装置１０５ａ及び複製装置１０４ａは、それぞれ、実施の形態２のサーバ装置１０５及び記録装置１０４に相当し、実施の形態１のオリジナル記録媒体１０１ａ及び複製記録媒体１０２ａは、それぞれ、実施の形態２の記録媒体（ディスク）１０１及び記録媒体（カード）１０２に相当する。
【０１７６】
（１９）図１１のステップＳ１１０４に示すように、制御手段７０８は、受信した各情報に基づき、管理するデータベースを参照して、カード１０２への記録を許諾するか否かを判断する。
【０１７７】
ここでは、その詳細の一例について、図１８に示すフローチャートを用いて説明する。
【０１７８】
制御手段７０８は、受信したディスク識別子とデータベースに記録されているディスク識別子とを比較する（ステップＳ１６３）。受信したディスク識別子と、同一のディスク識別子がデータベースに記録されていなければ（ステップＳ１６４で「無し」）、カード１０２への記録を禁止、つまり、複製を禁止する旨を示す禁止情報を生成し（ステップＳ１７１）、コピー許諾の判断の処理を終了する。
【０１７９】
受信したディスク識別子と同一のディスク識別子がデータベースに記録されていれば（ステップＳ１６４で、「有り」）、制御手段７０８は、次に、受信したカード識別子と、受信したディスク識別子に対応してデータベースに記録されているカード識別子とを比較し（ステップＳ１６５）、受信したカード識別子と同一のカード識別子がデータベースに記録されていれば（ステップＳ１６６で「有り」）、カード１０２への記録を許諾する旨を示す許諾情報を生成し（ステップＳ１７０）、コピー許諾の判断の処理を終了する。
【０１８０】
受信したカード識別子と同一のカード識別子がデータベースに記録されていなければ（ステップＳ１６６で「無し」）、ディスク識別子に対応してデータベースに記録されているコピー許諾数と現在のコピー数を比較し、コピー許諾数が現在のコピー数より小さければ（ステップＳ１６７で「＜」）、禁止情報を生成し（ステップＳ１７１）、コピー許諾の判断の処理を終了する。
【０１８１】
コピー許諾数が現在のコピー数より大きいか又は等しければ（ステップＳ１６７で「＞又は＝」）、データベースの現在のコピー数に「１」を加算し（ステップＳ１６８）、データベースにカード識別子を追加して記録し（ステップＳ１６９）、許諾情報を生成し（ステップＳ１７０）、コピー許諾の判断の処理を終了する。
【０１８２】
（２０）記録媒体（ディスク）１０１は、一例として、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）などの記録媒体である。なお、記録媒体１０１は、半導体メモリを有するメモリカードであるとしてもよいし、可搬型の磁気ディスクデバイスであるとしてもよい。
【０１８３】
また、記録媒体（カード）１０２は、一例として、半導体メモリを有するメモリカードである。なお、記録媒体１０２は、可搬型の磁気ディスクデバイスであるとしてもよいし、読み出し及び書き込みの可能な光ディスク媒体であるとしてもよい。
【０１８４】
（２１）実施の形態１において、管理装置１０５ａと複製装置１０４ａとは、インターネットに代表されるネットワークを介して接続されているとしてもよい。
【０１８５】
また、実施の形態２において、サーバ装置１０５と記録装置１０４とは、インターネットに代表されるネットワークを介して接続されているとしてもよい。
【０１８６】
また、ディスク製造装置１０３とサーバ装置１０５とは、インターネットに代表されるネットワークを介して接続されているとしてもよい。また、ディスク製造装置１０３とサーバ装置１０５とは、専用回線を介して接続されているとしてもよい。また、ディスク製造装置１０３とサーバ装置１０５とは、ＤＶＤ、ＢＤ、メモリカードなどの記録媒体を介して、情報を受け渡しするとしてもよい。
【０１８７】
（２２）携帯装置１０６は、一例として、携帯電話、携帯情報端末、携帯型の音声再生プレーヤ、携帯型の映像音声再生プレーヤなどである。
【０１８８】
（２３）記録媒体１０１及び記録媒体１０２に記録されるコンテンツは、一例として、映像及び音声からなる映画コンテンツ、音楽などの音声コンテンツ、映像などの動画コンテンツ、文字から構成されるテキストデータ、各種のデータベース、スプレッドシートなどである。
【０１８９】
記録媒体１０１には、同一のタイトルのコンテンツが記録されているとしているが、これには限定されない。記録媒体１０１には、複数の種類のタイトルのコンテンツが記録されているとしてもよい。この場合に、記録媒体１０１には、タイトル毎に、コピー用コンテンツが記録されている。具体的には、記録媒体１０１には、「ＡＢＣ」、「ＤＥＦ」、「ＨＩＧ」、「ＪＫＬ」という４種類の映画のコンテンツが記録されているとしてもよい。この場合に、記録媒体１０１には、４種類の映画のコンテンツのそれぞれについて、１個又は複数個のコピー用コンテンツが記録されている。
【０１９０】
（２４）実施の形態２において説明したように、記録媒体１０１には、高画質の本編映像及び２種類のコピー用コンテンツが記録されている。これらの本編映像及び２種類のコピー用コンテンツは、同一のタイトルの映画のコンテンツであり、画質のみが異なっている。
【０１９１】
なお、記録媒体１０１には、上記の本編映像とともに、さらに多くの種類のコピー用コンテンツが記録されているとしてもよい。本編映像とこれらの多くの種類のコピー用コンテンツとは、画質のみが異なっている。
【０１９２】
また、記録媒体１０１には、音楽などの高音質の音声コンテンツ及び２種類のコピー用音声コンテンツが記録されているとしてもよい。ここで、音声コンテンツ及び２種類のコピー用音声コンテンツとは、音質のみが異なっている。
【０１９３】
（２５）図４に示す鍵集合３１１は、Ｎ個の暗号化メディア鍵から構成されている。Ｎ個の暗号化メディア鍵は、Ｎ台のデバイスに対応しており、Ｎ台のデバイスには、それぞれ、固有のデバイス鍵が割り当てられている。ここで、デバイスとは、一例として、コンテンツを記録する記録装置やコンテンツを再生する再生装置である。各暗号化メディア鍵は、対応するデバイスに割り当てられたデバイス鍵を用いて、ＡＥＳなどの暗号アルゴリズムにより、同一のメディア鍵に暗号化を施して生成される。
【０１９４】
（２６）実施の形態２において、次の場合において、共通鍵暗号方式（Common key cryptosystem）の暗号アルゴリズムが用いられる。共通鍵暗号方式では、暗号化と復号に同一の（共通の）鍵を用いる。共通鍵暗号方式は、秘密鍵暗号方式（secret key cryptosystem）や対称鍵暗号方式（Symmetric key encryption scheme）とも呼ばれる。
【０１９５】
・デバイス鍵を用いてメディア鍵を暗号化する場合
・デバイス鍵を用いて暗号化メディア鍵を復号する場合
・タイトル鍵を用いて、コンテンツを暗号化する場合
ここで、コンテンツは、本編映像のコンテンツ及びコピー用のコンテンツを指す。
【０１９６】
・タイトル鍵を用いて、暗号化コンテンツを復号する場合
ここで、暗号化コンテンツは、本編映像の暗号化コンテンツ及びコピー用の暗号化コンテンツを指す。
【０１９７】
・メディアユニーク鍵を用いて、タイトル鍵を暗号化する場合
・メディアユニーク鍵を用いて、暗号化タイトル鍵を復号する場合
（２７）ディスク製造装置１０３は、同一のタイトルの映画のコンテンツについて、１枚又は複数枚のディスクを製造する。
【０１９８】
（２８）サーバ装置１０５のデータベース管理手段７０２が保持するデータベースについて、補足的に説明する。
【０１９９】
サーバ装置１０５のデータベース管理手段７０２は、上述したように、データベースを保持している。このデータベースの別の一例を図１９を用いて説明する。
【０２００】
図１９に示すデータベース７１１ｃは、複数個のコンテンツ管理情報７５１、７５２、７５３、・・・を記憶するための領域を備えている。各コンテンツ管理情報は、一つのタイトルの映画のコンテンツに対応している。コンテンツ管理情報７５１は、タイトル識別子７５４、タイトル名７５５、複数個のコピー用コンテンツ情報７５６、７５７、７５８、・・・を含む。コンテンツ管理情報７５２、７５３、・・・も、コンテンツ管理情報７５１と同様の構造を有している。
【０２０１】
タイトル識別子７５４は、対応する映画のコンテンツを一意に識別するための識別子である。
【０２０２】
タイトル名７５５は、対応する映画のコンテンツを識別するための名称である。
【０２０３】
各コピーコンテンツ情報は、当該タイトルの映画のコンテンツについて生成されるコピー用コンテンツに対応している。コピー用コンテンツ情報７５６は、解像度７５９、タイトル鍵７６０及びディスク管理情報７６１、７６２、７６３、・・・を含む。コピー用コンテンツ情報７５７、７５８、・・・も、コピー用コンテンツ情報７５６と同様の構造を有している。
【０２０４】
解像度７５９は、対応するコピー用コンテンツの解像度を示す。
【０２０５】
タイトル鍵７６０は、対応するコピー用コンテンツを暗号化する際に用いられる暗号化鍵である。
【０２０６】
各ディスク管理情報は、対応する映画のコンテンツについて製造される１枚のディスクに対応している。ディスク管理情報７６１は、ディスク識別子７７１、コピー許諾数７７２、現在のコピー数７７３、及びコピー先のカード識別子７７４、７７５、・・・を含む。
【０２０７】
ディスク識別子７７１は、対応する映画のコンテンツについて製造される１枚のディスクを一意に識別する識別子である。
【０２０８】
コピー許諾数７７２は、対応する映画のコンテンツについて製造される１枚のディスクについて、コピー用コンテンツの複製を許諾される最大数である。
【０２０９】
現在のコピー数７７３は、対応する映画のコンテンツについて製造される１枚のディスクについて、複製されたコピー用コンテンツの数である。
【０２１０】
コピー先のカード識別子７７４、７７５、・・・は、それぞれ、対応する映画のコンテンツについて製造される１枚のディスクについて、コピー用コンテンツがカードへ複製されたとき、コピー用コンテンツの複製先のカードを一意に識別する識別子である。
【０２１１】
次に、図１９に示すデータベース７１１ｃの具体例として、図２０にデータベース７１１ｄを示す。
【０２１２】
データベース７１１ｄには、コンテンツ管理情報７４０が含まれている。コンテンツ管理情報７４０は、一つのタイトルの映画のコンテンツに対応し、この映画のコンテンツを識別するタイトル識別子７４１は、「０００１２３」であり、この映画のコンテンツを識別するタイトル名７４２は、「ＡＢＣ」である。コンテンツ管理情報７４０には、２個のコピー用コンテンツ情報が含まれている。これらの２個のコピー用コンテンツ情報は、図１５に示すデータベース７１１ｂのものと同一であるので、詳細の説明を省略する。
【０２１３】
（２９）メディアユニーク鍵の生成方法について補足的に説明する。
【０２１４】
サーバ装置１０５の鍵変換手段７０５と携帯装置１０６の鍵変換手段８０４は、同一の生成方法により、メディアユニーク鍵を生成する。
【０２１５】
メディアユニーク鍵は、次のようにして生成されるとしてもよい。
【０２１６】
鍵変換手段７０５及び鍵変換手段８０４は、メディア鍵とカード識別子とをこの順序で結合し、得られた結合体に、一方向性関数を施して、その演算結果を得、その演算結果の全てをメディアユニーク鍵としてもよい。
【０２１７】
ここで、演算結果の全てではなく、その一部、例えば、演算結果の先頭から６４ビット又は１２８ビットを抽出し、得られたデータをメディアユニーク鍵としてもよい。
【０２１８】
一方向性関数として、暗号化アルゴリズムやハッシュ関数を用いるとしてもよい。暗号化アルゴリズムの例は、ＤＥＳ、ＡＥＳなどである。ハッシュ関数の例は、SHA（Secure Hash Algorithm）-1、SHA-224、SHA-256、SHA-384、SHA-512などである。
【０２１９】
上記において、メディア鍵とカード識別子とをこの順序で結合するとしているが、これには限定されない。カード識別子とメディア鍵とをこの順序で結合してもよい。メディア鍵とカード識別子とに排他的論理和を施すとしてもよい。また、メディア鍵を鍵として用いて、カード識別子に暗号化アルゴリズムを施すとしてもよい。また、カード識別子を鍵として用いて、メディア鍵に暗号化アルゴリズムを施すとしてもよい。
【０２２０】
（３０）ディスク製造装置１０３とサーバ装置１０５の間の動作について、図２１に示すフローチャートを用いて、説明する。
【０２２１】
ディスク製造装置１０３は、本編用コンテンツ及び２個のコピー用コンテンツを記憶しているコンテンツサーバ装置（図示していない）から、本編用コンテンツ及び２個のコピー用コンテンツを取得し（ステップＳ１０１）、タイトル情報等を取得し（ステップＳ１０２）、タイトル鍵を生成し（ステップＳ１０３）、生成したタイトル鍵を用いて、取得した本編用コンテンツ及び２個のコピー用コンテンツを暗号化して、それぞれ、合計で３個の暗号化コンテンツ（本編用、及び２個のコピー用）を生成する（ステップＳ１０４）。
【０２２２】
次に、ディスク製造装置１０３は、本編用コンテンツ及び２個のコピー用コンテンツを記録すべき複数枚のディスクのそれぞれについて、各ディスクを一意に識別するディスク識別子を生成し（ステップＳ１０５）、暗号化コンテンツ（本編用）及び２個の暗号化コンテンツ（コピー用）、ディスク識別子、タイトル情報などをディスクに記録する（ステップＳ１０６）。
【０２２３】
ディスク製造装置１０３は、全てのディスクについて、ステップＳ１０５〜Ｓ１０６を繰り返し、全てのディスクについて、記録が終了すると（ステップＳ１０７）、生成した全てのディスク識別子、タイトル鍵及びタイトル情報等をサーバ装置１０５へ送信する（ステップＳ１０８）。
【０２２４】
サーバ装置１０５は、全てのディスク識別子、タイトル鍵及びタイトル情報等を受信し（ステップＳ１０８）、受信した全てのディスク識別子、タイトル鍵及びタイトル情報等をデータベースに追加して記録する（ステップＳ１０９）。
【０２２５】
（３１）記録装置１０４とサーバ装置１０５の間の動作について、図２２〜図２３に示すフローチャートを用いて、説明する。
【０２２６】
記録装置１０４のユーザ入力受付手段６０５は、ディスクに記録されているコピー用コンテンツをカード１０２に複製することを示す指示をユーザから受け付け（ステップＳ１２１）、ユーザにより、ディスク１０１及びカード１０２が記録装置１０４に挿入される（ステップＳ１２２）。
【０２２７】
ディスク確認手段６０１は、挿入されたディスク１０１のコピー用コンテンツ記録領域２０１にコピー用のコンテンツについての暗号化コンテンツが記録されているか否かを確認する（ステップＳ１２３）。
【０２２８】
ディスク確認手段６０１がディスク１０１に暗号化コンテンツが記録されていないと判断する場合（ステップＳ１２３で「無し」）、表示手段６０４は、コンテンツの持ち出しができないことを示すメッセージを表示し（ステップＳ１２５）、記録装置１０４は、コンテンツのコピー処理を終了する。
【０２２９】
ディスク１０１に暗号化コンテンツが記録されていると判断する場合（ステップＳ１２３で「有り」）、ディスク確認手段６０１は、ディスク１０１からディスク識別子の読み出しを試みる（ステップＳ１２４）。ディスク識別子がディスク１０１に記録されていて、ディスク１０１からディスク識別子の読み出しに成功した場合（ステップＳ１２６で、「有り」）、表示手段６０４は、読み出したディスク識別子を表示し（ステップＳ１２７）、ユーザ入力受付手段６０５は、ディスク１０１から読み出したディスク識別子を用いるか、又は、ユーザの手動入力を受け付けるかの選択を待ち（ステップＳ１２８）、ディスク１０１から読み出したディスク識別子を用いる旨の選択がされた場合（ステップＳ１２９で「ＮＯ」）、ディスク確認手段６０１は、ディスク１０１のコピー用コンテンツ記録領域２０１に記録されているコピー用の暗号化コンテンツの数が１個であるか、又は複数個であるかを判断し（ステップＳ１３２）、複数個であると判断される場合（ステップＳ１３２で、「複数」）、表示手段６０４は、複数のコピー用コンテンツをそれぞれ示す選択肢を表示し（ステップＳ１３３）、ユーザ入力受付手段６０５は、１個のコピー用コンテンツを示す１個の選択肢の入力を受け付ける（ステップＳ１３４）。ディスク確認手段６０１は、ディスク１０１のコピー用コンテンツ記録領域２０１に記録されているコピー用の暗号化コンテンツの数が１個であると判断する場合に、当該１個のコピー用の暗号化コンテンツが選択されたものとする。また、ユーザ入力受付手段６０５により、１個のコピー用コンテンツを示す１個の選択肢の入力を受け付けた場合には、当該選択肢により示されるコピー用の暗号化コンテンツが選択されたものとする。次に、ステップＳ１４１へ制御を移す。
【０２３０】
ディスク確認手段６０１がディスク識別子がディスク１０１に記録されていないと判断した場合、又は、ディスク１０１からディスク識別子の読み出しに失敗した場合（ステップＳ１２６で、「無し／失敗」）、又は、ユーザ入力受付手段６０５がユーザの手動入力を受け付ける選択を受け付けた場合（ステップＳ１２９で「ＹＥＳ」）、表示手段６０４は、ディスク識別子の入力を求めるメッセージを表示し（ステップＳ１３０）、ユーザ入力受付手段６０５は、ユーザからディスク識別子の入力を受け付け（ステップＳ１３１）、次に、ステップＳ１３２へ制御を移す。
【０２３１】
記録装置１０４の送受信手段６０８は、サーバ装置１０５と接続し（ステップＳ１４１）、ディスク読出手段６０６は、ディスク１０１からコピー用の暗号化コンテンツを読み出し（ステップＳ１４２）、タイトル情報及びディスク識別子を読み出し（ステップＳ１４３）、カード読出／記録手段６０７は、カード１０２から鍵集合３１１を読み出し（ステップＳ１４４）、カード識別子を読み出し（ステップＳ１４５）、送受信手段５０７は、タイトル情報、ディスク識別子、鍵集合、カード識別子をサーバ装置１０５へ送信する（ステップＳ１４６）。
【０２３２】
サーバ装置１０５の送受信手段７０１は、記録装置１０４からタイトル情報、ディスク識別子、鍵集合、カード識別子を受信し（ステップＳ１４６）、制御手段７０８は、コピー許諾の判断をし（ステップＳ１４７）、送受信手段７０１は、許否情報（カード１０２への記録を許諾する旨を示す許諾情報又はカード１０２への複製を禁止する旨を示す禁止情報）を記録装置１０４へ送信する（ステップＳ１４８）。
【０２３３】
記録装置１０４の送受信手段６０８は、サーバ装置１０５から許否情報を受信し（ステップＳ１４８）、制御手段６０９は、受信した許否情報が許諾情報であるか又は禁止情報であるかを判断し（ステップＳ１４９）、受信した許否情報が許諾情報である場合（ステップＳ１４９で、「ＹＥＳ」）、カード読出／記録手段６０７は、ディスク１０１から読み出したコピー用の暗号化コンテンツをカード１０２の暗号化コンテンツ記録領域３０４へ書き込む（ステップＳ１５０）。
【０２３４】
次に、サーバ装置１０５の送受信手段７０１は、データベース管理手段７０２によりコピーの許諾がされた場合に（ステップＳ１５１で「ＹＥＳ」）、暗号化タイトル鍵を記録装置１０４へ送信し（ステップＳ１５２）、記録装置１０４のカード読出／記録手段６０７は、暗号化タイトル鍵をカード１０２の暗号化タイトル鍵記録領域３０３へ書き込む（ステップＳ１５３）。
【０２３５】
次に、記録装置１０４の送受信手段６０８とサーバ装置の送受信手段７０１とは、接続を切断する（ステップＳ１５４）。
【０２３６】
以上説明したように、カード１０２への複製が許諾された後に、暗号化コンテンツがカード１０２に記録され、暗号化コンテンツのカード１０２への記録が完了した後に、暗号化タイトル鍵がカード１０２に記録される。
【０２３７】
（３２）サーバ装置１０５の制御手段７０８によるコピー許諾の判断の動作について、図２４に示すフローチャートを用いて説明する。ここで説明するコピー許諾の判断の動作は、図２３のステップＳ１４７の詳細である。
【０２３８】
制御手段７０８は、受信したタイトル識別子とデータベースに記録されているタイトル識別子とを比較する（ステップＳ１６１）。受信したタイトル識別子と同一のタイトル識別子がデータベースに記録されていなければ（ステップＳ１６２で、「無し」）、カード１０２への記録を禁止、つまり、複製を禁止する旨を示す禁止情報を生成し（ステップＳ１７１）、コピー許諾の判断の処理を終了する。
【０２３９】
次に、受信したタイトル識別子と同一のタイトル識別子がデータベースに記録されていれば（ステップＳ１６２で、「有り」）、制御手段７０８は、受信したディスク識別子とデータベースに記録されているディスク識別子とを比較する（ステップＳ１６３）。受信したディスク識別子と、同一のディスク識別子がデータベースに記録されていなければ（ステップＳ１６４で、「無し」）、カード１０２への記録を禁止、つまり、複製を禁止する旨を示す禁止情報を生成し（ステップＳ１７１）、コピー許諾の判断の処理を終了する。
【０２４０】
受信したディスク識別子と同一のディスク識別子がデータベースに記録されていれば（ステップＳ１６４で、「有り」）、制御手段７０８は、次に、受信したカード識別子と、受信したディスク識別子に対応してデータベースに記録されているカード識別子とを比較し（ステップＳ１６５）、受信したカード識別子と同一のカード識別子がデータベースに記録されていれば（ステップＳ１６６で「有り」）、カード１０２への記録を許諾する旨を示す許諾情報を生成し（ステップＳ１７０）、コピー許諾の判断の処理を終了する。
【０２４１】
受信したカード識別子と同一のカード識別子がデータベースに記録されていなければ（ステップＳ１６６で「無し」）、ディスク識別子に対応してデータベースに記録されているコピー許諾数と現在のコピー数を比較し、コピー許諾数が現在のコピー数より小さければ（ステップＳ１６７で「＜」）、禁止情報を生成し（ステップＳ１７１）、コピー許諾の判断の処理を終了する。
【０２４２】
コピー許諾数が現在のコピー数より大きいか又は等しければ（ステップＳ１６７で「＞又は＝」）、データベースの現在のコピー数に「１」を加算し（ステップＳ１６８）、データベースにカード識別子を追加して記録し（ステップＳ１６９）、許諾情報を生成し（ステップＳ１７０）、コピー許諾の判断の処理を終了する。
【０２４３】
（３３）サーバ装置１０５の制御手段７０８によるコピー許諾の判断の別の動作について、図２５に示すフローチャートを用いて説明する。ここで説明するコピー許諾の判断の動作は、図２３のステップＳ１４７の詳細である。
【０２４４】
制御手段７０８は、受信したタイトル識別子とデータベースに記録されているタイトル識別子とを比較する（ステップＳ１６１）。受信したタイトル識別子と同一のタイトル識別子がデータベースに記録されていなければ（ステップＳ１６２で、「無し」）、カード１０２への記録を禁止、つまり、複製を禁止する旨を示す禁止情報を生成し（ステップＳ１７１）、コピー許諾の判断の処理を終了する。
【０２４５】
次に、受信したタイトル識別子と同一のタイトル識別子がデータベースに記録されていれば（ステップＳ１６２で、「有り」）、制御手段７０８は、受信したディスク識別子とデータベースに記録されているディスク識別子とを比較する（ステップＳ１６３）。受信したディスク識別子と、同一のディスク識別子がデータベースに記録されていなければ（ステップＳ１６４で「無し」）、カード１０２への記録を禁止、つまり、複製を禁止する旨を示す禁止情報を生成し（ステップＳ１７１）、コピー許諾の判断の処理を終了する。
【０２４６】
受信したディスク識別子と同一のディスク識別子がデータベースに記録されていれば（ステップＳ１６４で「有り」）、ディスク識別子に対応してデータベースに記録されているコピー許諾数と現在のコピー数を比較し、コピー許諾数が現在のコピー数より小さければ（ステップＳ１６７で「＜」）、禁止情報を生成し（ステップＳ１７１）、コピー許諾の判断の処理を終了する。
【０２４７】
コピー許諾数が現在のコピー数より大きいか又は等しければ（ステップＳ１６７で「＞又は＝」）、データベースの現在のコピー数に「１」を加算し（ステップＳ１６８）、データベースにカード識別子を追加して記録し（ステップＳ１６９）、許諾情報を生成し（ステップＳ１７０）、コピー許諾の判断の処理を終了する。
【０２４８】
（３４）記録装置１０４とサーバ装置１０５の間の別の動作について、図２６に示すフローチャートを用いて、説明する。なお、以下に示す動作において、ステップＳ１４１〜Ｓ１４７は、図２３に示すステップＳ１４１〜Ｓ１４７と同じであり、ステップＳ１４８ａ〜Ｓ１５０ａは、図２３に示すステップＳ１４８〜Ｓ１５３を置き換えたものであり、ステップＳ１５４は、図２３に示すステップＳ１５４と同じである。
【０２４９】
記録装置１０４の送受信手段６０８は、サーバ装置１０５と接続し（ステップＳ１４１）、ディスク読出手段６０６は、ディスク１０１からコピー用の暗号化コンテンツを読み出し（ステップＳ１４２）、タイトル情報及びディスク識別子を読み出し（ステップＳ１４３）、カード読出／記録手段６０７は、カード１０２から鍵集合３１１を読み出し（ステップＳ１４４）、カード識別子を読み出し（ステップＳ１４５）、送受信手段５０７は、タイトル情報、ディスク識別子、鍵集合、カード識別子をサーバ装置１０５へ送信する（ステップＳ１４６）。
【０２５０】
サーバ装置１０５の送受信手段７０１は、記録装置１０４からタイトル情報、ディスク識別子、鍵集合、カード識別子を受信し（ステップＳ１４６）、データベース管理手段７０２は、コピー許諾の判断をし（ステップＳ１４７）、送受信手段７０１は、許否情報又は許否情報及び暗号化タイトル鍵を記録装置１０４へ送信する（ステップＳ１４８ａ）。
【０２５１】
記録装置１０４の送受信手段６０８は、サーバ装置１０５から許否情報又は許否情報及び暗号化タイトル鍵を受信し（ステップＳ１４８ａ）、制御手段６０９は、受信した許否情報が許諾情報であるか又は禁止情報であるかを判断し（ステップＳ１４９）、受信した許否情報が許諾情報である場合（ステップＳ１４９で、「ＹＥＳ」）、カード読出／記録手段６０７は、ディスク１０１から読み出したコピー用の暗号化コンテンツをカード１０２の暗号化コンテンツ記録領域３０４へ書き込み、暗号化タイトル鍵をカード１０２の暗号化タイトル鍵記録領域３０３へ書き込む（ステップＳ１５０ａ）。
【０２５２】
次に、記録装置１０４の送受信手段６０８とサーバ装置の送受信手段７０１とは、接続を切断する（ステップＳ１５４）。
【０２５３】
（３５）上記においては、記録装置１０４にカード１０２が挿入されるとしているが、これには限定されない。
【０２５４】
カード１０２は、携帯装置１０６に挿入され、カード１０２が挿入された携帯装置１０６が、ケーブルにより、記録装置１０４に接続され、又は、カード１０２が挿入された携帯装置１０６が、有線の又は無線のネットワークを介して、記録装置１０４に接続されるとしてもよい。この場合に、記録装置１０４は、携帯装置１０６を介して、カード１０２から鍵集合を読み出し、カード識別子を読み出す。また、記録装置１０４は、携帯装置１０６を介して、カード１０２に暗号化コンテンツ及び暗号化タイトル鍵を書き込む。
【０２５５】
（３６）ディスク製造装置１０３は、コンテンツ取得回路、タイトル鍵生成回路、暗号化回路、タイトル情報受付回路、ディスク記録回路、ディスク識別子受付回路、送受信回路及び制御回路から構成されるとしてもよい。
【０２５６】
複製装置である記録装置１０４は、ディスク確認回路、接続状態確認回路、カード容量確認回路、表示回路、ユーザ入力受付回路、ディスク読出回路、カード読出／記録回路、送受信回路及び制御回路から構成されるとしてもよい。
【０２５７】
管理装置であるサーバ装置１０５は、送受信回路、データベース管理回路、デバイス鍵保持回路、鍵集合処理回路、鍵変換回路、タイトル鍵選択回路、暗号化回路及び制御回路から構成されるとしてもよい。
【０２５８】
携帯装置１０６は、カード読出回路、デバイス鍵保持回路、鍵集合処理回路、鍵変換回路、タイトル鍵復号回路、コンテンツ復号回路、コンテンツ再生回路及び制御回路から構成されるとしてもよい。
【０２５９】
（３７）管理装置であるサーバ装置１０５の送受信手段７０１は、さらに、複製装置である記録装置１０４から、ディスク１０１に記録されているコピー用コンテンツ、つまり、コピー用の情報の複製の許諾を示す許諾情報の再送要求と、記録装置１０４を識別する装置識別子を受信するとしてもよい。サーバ装置１０５は、さらに、記録装置１０４を識別する装置識別子に対応付けて、再送許諾閾値及び再送要求数を保持する保持手段を備える。制御手段７０８は、さらに、前記装置識別子ごとに再送要求の回数を示す前記再送要求数をカウントし、前記再送要求数が再送許諾閾値を超える場合に、それ以降の再送要求に対して、前記許諾情報の再送を禁止するとしてもよい。
【０２６０】
図２７に示すように、制御手段７０８は、再送要求を受信すると（ステップＳ１８０でＹＥＳ）、保持手段から、装置識別子に対応する再送許諾閾値と再送要求数を読み出し（ステップＳ１８１）、再送許諾閾値と再送要求数とを比較し、再送許諾閾値が再送要求数より小さい場合には（ステップＳ１８２で＜）、前記許諾情報の再送を禁止し、禁止情報を生成する（ステップＳ１７１）。
【０２６１】
再送許諾閾値が再送要求数より大きいか又は等しい場合には（ステップＳ１８２で＞又は＝）、再送要求数に「１」を加算し（ステップＳ１８３）、次に、ステップＳ１６１へ制御を移す。
【０２６２】
図２８に示すステップＳ１６１〜Ｓ１７１は、図２４に示すステップＳ１６１〜Ｓ１７１と同一であり、ここでは、説明を省略する。
【０２６３】
なお、前記再送要求数が再送許諾閾値に達した場合に、それ以降の再送要求に対して、前記許諾情報の再送を禁止するとしてもよい。つまり、再送許諾閾値と再送要求数とを比較し、再送許諾閾値が再送要求数より小さいか等しい場合には、前記許諾情報の再送を禁止し、禁止情報を生成する。一方、再送許諾閾値が再送要求数より大きい場合には、前記許諾情報の再送を許可する。
【０２６４】
（３８）管理装置であるサーバ装置１０５と同一の構成を有するサーバ装置（管理装置）が複数存在するとしてもよい。
【０２６５】
サーバ装置１０５と、他の複数のサーバ装置とは、例として、図１４、１９等に示すデータベースの全部又は一部を共有するとしてもよい。
【０２６６】
サーバ装置１０５の送受信手段７０１は、他のサーバ装置との間で、データベース管理手段７０２が保持するデータベースの全部又は一部を相互に送受信し、データベース管理手段７０２は、他の複数のサーバ装置との間でデータベースの全部又は一部を共有する。
【０２６７】
つまり、サーバ装置１０５が保持するデータベースが更新されると、更新データが他のサーバ装置に送信され、他のサーバ装置のデータベースが更新データにより、更新される。こうして、サーバ装置１０５と、他の複数のサーバ装置とは、同一内容のデータベースの全部又は一部を保持することとなる。
【０２６８】
例えば、サーバ装置１０５は、図１９に示すデータベース７１１ｃと同様のデータ構造のデータベースを保持しているものとし、サーバ装置１０５は、一つのコンテンツコピーサービスを提供しているものとする。また、他の複数のサーバ装置も、それぞれ、図１９に示すデータベース７１１ｃと同様のデータ構造のデータベースを保持しており、他の複数のサーバ装置も、それぞれ、一つのコンテンツコピーサービスを提供しているものとする。
【０２６９】
ここで、一枚のディスクは、複数のコンテンツコピーサービスにおいて共通に利用可能であるが、あるコンテンツコピーサービスにおいて既に使用されたディスクは、他のコンテンツコピーサービスでは使用できないものとする。
【０２７０】
サーバ装置１０５が保持するデータベースは、一例として、図２０に示すように、ディスク識別子「００・・・１１」、「００・・・１２」、・・・、「００・・・Ａ３」を記録しているものとする。また、他の複数のサーバ装置が保持するデータベースも、それぞれ、ディスク識別子「００・・・１１」、「００・・・１２」、・・・、「００・・・Ａ３」を記録しているものとする。
【０２７１】
サーバ装置１０５に対して、ディスク識別子「００・・・１１」により識別されるディスクに記録されているコンテンツのコピーの要求がされた場合に、サーバ装置１０５は、その他の複数のサーバ装置に対して、ディスク識別子「００・・・１１」により識別されるディスクに記録されているコンテンツのコピーが既にされているか否かを問い合わせる。つまり、その他の複数のサーバ装置の各データベースのディスク識別子「００・・・１１」に対応する「現在のコピー数」が「０」か否かを問い合わせる。サーバ装置１０５は、その他の複数のサーバ装置の全てから、そのデータベースにおいて、ディスク識別子「００・・・１１」に対応する「現在のコピー数」が「０」である旨の返事が返ってきた場合には、ディスク識別子「００・・・１１」により識別されるディスクに記録されている前記コンテンツのコピー要求に対して許可を発行する。一方、サーバ装置１０５は、その他の複数のサーバ装置の一つから、そのデータベースにおいて、ディスク識別子「００・・・１１」に対応する「現在のコピー数」が「０」でない旨の返事が返ってきた場合には、前記のコンテンツのコピー要求を禁止する。
【０２７２】
このように、一つのサービスで使用されたＩＤ（ディスク識別子）は、他のサービスで使用できないとしてもよい。
【０２７３】
（３９）複製装置である記録装置１０４は、オリジナル記録媒体であるディスク１０１に記録されている情報、言い換えると、コピー用のコンテンツが複製用か否かを確認するディスク確認手段６０１と、ディスク１０１に記録されているコンテンツがコピー用であると確認された場合に、送受信手段６０８に対して、取得したオリジナル媒体識別子であるディスク識別子を管理装置であるサーバ装置１０５へ送信するように制御する制御手段６０９を含むとしてもよい。ここで、送受信手段６０８は、制御手段６０９の制御により、取得したディスク識別子をサーバ装置１０５へ送信する。
【０２７４】
複製装置である記録装置１０４は、オリジナル記録媒体であるディスク１０１に記録されている情報、言い換えると、コピー用のコンテンツが複製用か否かを確認し、ディスク１０１に、ディスク識別子が記録されているか否かを確認するディスク確認手段６０１と、ディスク１０１に記録されているコンテンツが複製用であると確認され、ディスク１０１にディスク識別子が記録されていないと確認された場合に、ディスク識別子を入力する旨のメッセージを表示する表示手段６０４と、ユーザからディスク識別子の入力を受け付けるユーザ入力受付手段６０５とを含むとしてもよい。送受信手段６０８は、入力を受け付けたディスク識別子を管理装置であるサーバ装置１０５へ送信してもよい。
【０２７５】
（４０）複製装置である記録装置１０４は、カード１０２の空き容量を確認し、カード１０２の空き容量と、ディスク１０１に記録されているコピー用のコンテンツのサイズを比較するカード容量確認手段６０３と、カード１０２の空き容量が、前記ディスク１０１に記録されているコピー用のコンテンツのサイズより小さい場合に、カード１０２の交換を促すメッセージを表示する表示手段６０４とを含むとしてもよい。
【０２７６】
（４１）複製装置である記録装置１０４は、複製記録媒体であるカード１０２が記録装置１０４のローカルストレージとして使用されているか否かを判断する接続状態確認手段６０２と、カード１０２が記録装置１０４のローカルストレージとして使用されていると判断される場合に、カード１０２の交換を促すメッセージを表示する表示手段６０４とを含むとしてもよい。
【０２７７】
（４２）オリジナル記録媒体であるディスク１０１には、複数のコピー用の情報、つまり、複数のコピー用のコンテンツが記録されているとしてもよい。複製装置である記録装置１０４は、携帯装置１０６を識別する識別情報の入力を受け付けるユーザ入力受付手段６０５と、携帯装置１０６が備える機能を記したリストを保持するリスト保持手段と、前記保持するリストと前記受け付けた携帯装置１０６の識別情報とを用いて、ディスク１０１に記録されている複数のコピー用の情報の中から、推奨情報を決定する決定手段と、前記決定手段により決定された推奨情報を提示する表示手段６０４とを含むとしてもよい。
【０２７８】
このとき、前記リスト保持手段は、送受信手段６０８を介して、管理装置であるサーバ装置１０５から最新のリストを受信して保持するとしてもよい。
【０２７９】
（４３）情報を記録しているオリジナル記録媒体から複製記録媒体への前記情報の複製を管理するコンピュータであるとしてもよい。前記コンピュータは、複数のコンピュータ命令が組み合わされて構成されるコンピュータプログラムを記憶しているメモリ部と、前記メモリ部に記憶されている前記コンピュータプログラムから１個ずつコンピュータ命令を読み出し、解読し、その解読結果に応じて動作するプロセッサとを備える。
【０２８０】
前記コンピュータプログラムは、コンピュータに、複製装置から前記オリジナル記録媒体を識別するオリジナル媒体識別子を受信し、前記情報の複製の許諾を示す許諾情報を前記複製装置へ送信する送受信ステップと、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップとを実行させるとしてもよい。
【０２８１】
また、情報を記録しているオリジナル記録媒体から複製記録媒体へ前記情報を複製するコンピュータであるとしてもよい。前記コンピュータは、複数のコンピュータ命令が組み合わされて構成されるコンピュータプログラムを記憶しているメモリ部と、前記メモリ部に記憶されている前記コンピュータプログラムから１個ずつコンピュータ命令を読み出し、解読し、その解読結果に応じて動作するプロセッサとを備える。
【０２８２】
前記コンピュータプログラムは、コンピュータに、前記オリジナル記録媒体を識別するオリジナル媒体識別子を取得する識別子取得ステップと、取得した前記オリジナル媒体識別子を管理装置へ送信し、前記管理装置から情報の複製の許諾を示す許諾情報を受信する送受信ステップと、前記オリジナル記録媒体から前記情報を読み出す情報読出ステップと、読み出した前記情報を前記複製記録媒体へ書き込み、前記許諾情報を受信した場合に、受信した前記許諾情報を前記複製記録媒体へ書き込む書込ステップとを実行させるとしてもよい。
【０２８３】
（４４）情報を記録しているオリジナル記録媒体から複製記録媒体への前記情報の複製を管理する管理装置で用いられる管理用のコンピュータプログラムを記録しているコンピュータ読み取り可能な非一時的なプログラム記録媒体であるとしてもよい。前記コンピュータプログラムは、コンピュータに、複製装置から前記オリジナル記録媒体を識別するオリジナル媒体識別子を受信し、前記情報の複製の許諾を示す許諾情報を前記複製装置へ送信する送受信ステップと、受信した前記オリジナル媒体識別子と、登録されているオリジナル記録媒体を識別するオリジナル媒体識別子とに基づいて、受信した前記オリジナル媒体識別子により識別される前記オリジナル記録媒体に記録されている前記情報の複製を許諾するか否かを判断し、許諾すると判断する場合に、前記許諾情報の送信を許可する制御ステップとを実行させる。
【０２８４】
また、情報を記録しているオリジナル記録媒体から複製記録媒体へ前記情報を複製する複製装置で用いられる複製用のコンピュータプログラムを記録している非一時的なコンピュータ読み取り可能なプログラム記録媒体であるとしてもよい。前記コンピュータプログラムは、コンピュータに、前記オリジナル記録媒体を識別するオリジナル媒体識別子を取得する識別子取得ステップと、取得した前記オリジナル媒体識別子を管理装置へ送信し、前記管理装置から情報の複製の許諾を示す許諾情報を受信する送受信ステップと、前記オリジナル記録媒体から前記情報を読み出す情報読出ステップと、読み出した前記情報を前記複製記録媒体へ書き込み、前記許諾情報を受信した場合に、受信した前記許諾情報を前記複製記録媒体へ書き込む書込ステップとを実行させる。
【０２８５】
（４５）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０２８６】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記デジタル信号であるとしてもよい。
【０２８７】
また、本発明は、前記コンピュータプログラムまたは前記デジタル信号を、電気通信回線、無線または有線通信回線、インターネットを代表とするネットワーク、データ放送等を経由して伝送するものとしてもよい。
【０２８８】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０２８９】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい
（４６）上記実施の形態及び上記変形例をそれぞれ組み合わせるとしてもよい。
【０２９０】
（４７）本発明は、映画、音楽などのデジタルコンテンツが記録された記録媒体と、外部のネットワークに接続されている再生装置、又は記録装置とを連携させ、記録媒体に記録されているコンテンツを安全に、別の記録媒体へコピーするサービスに関連して、不正なコピーを防止しつつ、ユーザの利便性を向上させる技術に関するとしてもよい。
【０２９１】
従来、家庭内の据え置き機器でコンテンツを楽しむことを目的に開発されたＤＶＤやＢｌｕ−ｒａｙ  Ｄｉｓｃは、そのコンテンツを不正コピー等から保護するために、コンテンツを持ち出し、あるいはコピーして、モバイル端末で視聴することは認められておらず、ユーザの要望を満たすことができないという課題が存在する。
【０２９２】
そこで、本発明は、不正なコピーを防止しつつ、ユーザの利便性を向上させ、記録媒体に記録されているコンテンツを安全に、別の記録媒体へコピーするためのコンテンツ記録装置、コンテンツ記録方法、及びコンテンツ記録システムを提供することを目的とする。
【０２９３】
本発明の一実施態様は、第１の記録媒体に記録されているコンテンツを、第２の記録媒体にコピーするための許諾を記録装置に与えるか否かを判断するサーバ装置であって、前記サーバ装置は、前記記録装置から、第１の記録媒体を識別するための第１の識別子と、第２の記録媒体を識別するための第２の識別子と、前記記録媒体に記録されているコンテンツを特定するためのタイトル情報を受信し、コピーの許諾を前記記録装置へ送信する送受信手段と、前記第１の識別子と、前記第２の識別子を対でデータベースに登録し、第１の識別子ごとにコピー回数を管理するデータベース管理手段と、を備え、前記データベース管理手段は、管理しているデータベースに基づき、前記記録装置にコピーの許諾を与えるか否かを判断し、許諾を与えると判断した場合に、前記送受信手段を介して、許諾を前記記録装置へ送信することを特徴とする。
【０２９４】
ここで、前記サーバ装置であって、前記第１の記録媒体に記録されているコンテンツは、タイトル鍵を用いて暗号化されており、前記送受信手段が前記記録装置へ送信する許諾は、前記暗号化コンテンツを復号するためのタイトル鍵であることを特徴としてもよい。
【０２９５】
ここで、前記サーバ装置であって、前記タイトル鍵を許諾として送信する前に、前記送受信手段が前記記録装置から受信した第２の識別子を前記タイトル鍵に作用させ、前記タイトル鍵を、前記第２の記録媒体でのみ利用し得る形態に変形する鍵変換手段と、を備えることを特徴としてもよい。
【０２９６】
ここで、前記サーバ装置であって、前記送受信手段は、１以上の暗号化されたメディア鍵の集合である鍵集合を受信し、前記鍵集合から暗号化メディア鍵を抽出し、保持するデバイス鍵で復号してメディア鍵を算出する鍵集合処理手段と、を備え、前記鍵変換手段は、前記算出したメディア鍵と、前記送受信手段が受信した第２の識別子の両方を用いて、前記第２の記録媒体でのみ利用し得る形態に暗号化することを特徴としてもよい。
【０２９７】
ここで、前記サーバ装置であって、前記記録装置との間で相互認証を行い、通信路用の鍵を共有して、安全な通信路を確立する相互認証手段と、を備え、前記送受信手段が送信する許諾であるタイトル鍵を、前記共有した鍵で暗号化して送信することを特徴としてもよい。
【０２９８】
ここで、前記サーバ装置であって、前記送受信手段は、前記記録装置からの許諾の再送要求を受信すると共に、第１の記録媒体を識別するための第３の識別子と、第２の記録媒体を識別するための第４の識別子を受信して、前記データベース管理手段は、前記データベースで管理する第１の識別子と第２の識別子の対と、前記受信した第３の識別子と第４の識別子の対が一致するか否かを判定し、一致すると判定した場合に、前記記録装置の再送要求に応じて、前記許諾を再送することを特徴としてもよい。
【０２９９】
ここで、前記サーバ装置であって、前記タイトル鍵を許諾として送信する前に、前記送受信手段が前記記録装置から受信した第２の識別子を前記タイトル鍵に作用させ、前記タイトル鍵を、前記第２の記録媒体でのみ利用し得る形態に変形する鍵変換手段と、を備えることを特徴としてもよい。
【０３００】
ここで、前記サーバ装置であって、前記送受信手段は、１以上の暗号化されたメディア鍵の集合である鍵集合を受信し、前記鍵集合から暗号化メディア鍵を抽出し、保持するデバイス鍵で復号してメディア鍵を算出する鍵集合処理手段と、を備え、前記鍵変換手段は、前記算出したメディア鍵と、前記送受信手段が受信した第２の識別子の両方を用いて、前記第２の記録媒体でのみ利用し得る形態に暗号化することを特徴としてもよい。
【０３０１】
ここで、前記サーバ装置であって、前記記録装置との間で相互認証を行い、通信路用の鍵を共有して、安全な通信路を確立する相互認証手段と、を備え、前記送受信手段が送信する許諾であるタイトル鍵を、前記共有した鍵で暗号化して送信することを特徴としてもよい。
【０３０２】
ここで、前記サーバ装置であって、前記送受信手段は、前記再送要求を受信すると共に、前記記録装置を識別するための装置識別子を受信して、前記記録装置の装置識別子を保持する装置識別子保持手段と、を備え、前記装置識別子保持手段は、前記装置識別子ごとに再送要求の回数をカウントし、再送要求の回数が予め定められたしきい値に達した場合、それ以降の再送要求には応じないことを特徴としてもよい。
【０３０３】
ここで、前記サーバ装置であって、前記送受信手段は、他のサーバ装置との間で、前記データベース管理手段が管理するデータベースを送受信して共有することを特徴としてもよい。
【０３０４】
また、本発明の一実施態様は、第１の記録媒体に記録されているコンテンツを、第２の記録媒体にコピーする記録装置であって、前記記録装置は、前記第１の記録媒体にコピー用のコンテンツが記録されているか否かを確認する第１の確認手段と、前記第１の記録媒体に、前記第１の記録媒体を識別するための第１の識別子が存在するか否かを確認する第２の確認手段と、前記第１の記録媒体を識別するための第３の識別子の入力を受け付ける識別子受付手段と、サーバ装置に対して、コピーの許諾の要求を送信する、又はコピーの許諾を受信する送受信手段と、前記送受信手段が、前記サーバ装置から許諾を受信した場合に、前記第２の記録媒体にコンテンツを書き込む書込手段と、を備え、前記送受信手段は、前記第１の確認手段が、コピー用のコンテンツが記録されていることを確認し、かつ前記第２の確認手段が、前記第１の識別子が存在することを確認した場合に、前記サーバ装置に対してコピーの許諾の要求を送信し、前記識別子受付手段は、前記第１の確認手段が、コピー用のコンテンツが記録されていることを確認し、かつ前記第２の確認手段が、前記第１の識別子が存在しないことを確認した場合に、前記第１の記録媒体を識別するための第３の識別子の入力を受け付けた後、前記送受信手段を介して、前記サーバ装置に対してコピーの許諾の要求を送信することを特徴とする。
【０３０５】
ここで、前記記録装置であって、前記識別子受付手段は、前記第２の確認手段が、前記第１の識別子が存在することを確認した場合であっても、前記第３の識別子の入力を受け付け、前記送受信手段は、前記第１の識別子、又は前記第３の識別子の何れかを前記サーバ装置へ送信することを特徴としてもよい。
【０３０６】
ここで、前記記録装置であって、前記第２の記録媒体の空き容量を確認する記録媒体確認手段と、第２の記録媒体の交換を促すメッセージを表示する表示手段と、を備え、前記記録媒体確認手段は、前記第２の記録媒体の空き容量と、前記第１の記録媒体に記録されているコピー用のコンテンツのサイズを比較し、空き容量が小さい場合は、前記表示手段を介して交換を促すメッセージを表示することを特徴としてもよい。
【０３０７】
ここで、前記記録装置であって、前記記録媒体確認手段は、両者を比較した結果、空き容量が大きいと判断した場合であっても、前記第２の記録媒体が、前記記録装置のローカルストレージとして使用されている場合は、前記表示手段を介して交換を促すメッセージを表示することを特徴としてもよい。
【０３０８】
ここで、前記記録装置であって、前記第２の記録媒体が、前記記録装置に直接挿入されているか、携帯装置に挿入され、有線、又は無線で前記記録装置に接続されているか、の接続状態を調べる接続状態確認手段と、前記携帯装置を識別するための識別情報の入力を受け付ける入力受付手段と、前記携帯装置が、有線、又は無線で接続されている場合に、前記記録装置によるコンテンツの書き込みが行えるか否かを記したリストを保持するリスト保持手段と、前記保持するリストと、前記受け付けた携帯装置の識別情報と、前記接続状態から、前記記録装置がコンテンツを書き込める状態にあるか否かを判定する判定手段と、を備え、前記判定手段が、書き込める状態ではないと判断した場合に、前記表示手段が接続方法の変更を促すメッセージを表示することを特徴としてもよい。
【０３０９】
ここで、前記記録装置であって、前記リスト保持手段は、前記送受信手段を介して、前記サーバ装置から最新リストを受信して保持していることを特徴としてもよい。
【０３１０】
ここで、前記記録装置であって、携帯装置を識別するための識別情報の入力を受け付ける入力受付手段と、前記携帯装置が備える機能を記したリストを保持するリスト保持手段と、前記保持するリストと、前記受け付けた携帯装置の識別情報と、前記第１の記録媒体に記録されている複数のコピー用のコンテンツの中から、推奨コンテンツを決定する決定手段と、を備え、前記決定手段が決定した推奨コンテンツを、前記表示手段を介して提示することを特徴としてもよい。
【０３１１】
ここで、前記記録装置であって、前記リスト保持手段は、前記送受信手段を介して、前記サーバ装置から最新リストを受信して保持していることを特徴としてもよい。
【０３１２】
また、本発明の一実施態様は、第１の記録媒体に記録されているコンテンツを、第２の記録媒体にコピーするための許諾を記録装置に与えるか否かを判断する許諾提供方法であって、前記許諾提供方法は、前記記録装置から、第１の記録媒体を識別するための第１の識別子と、第２の記録媒体を識別するための第２の識別子と、前記記録媒体に記録されているコンテンツを特定するためのタイトル情報を受信し、コピーの許諾を前記記録装置へ送信する送受信ステップと、前記第１の識別子と、前記第２の識別子を対でデータベースに登録し、第１の識別子ごとにコピー回数を管理するデータベース管理ステップと、を備え、前記データベース管理ステップは、管理しているデータベースに基づき、前記記録装置にコピーの許諾を与えるか否かを判断し、許諾を与えると判断した場合に、前記送受信ステップを介して、許諾を前記記録装置へ送信することを特徴とする。
【０３１３】
ここで、前記許諾提供方法であって、前記第１の記録媒体に記録されているコンテンツは、タイトル鍵を用いて暗号化されており、前記送受信ステップが前記記録装置へ送信する許諾は、前記暗号化コンテンツを復号するためのタイトル鍵であることを特徴としてもよい。
【０３１４】
ここで、前記許諾提供方法であって、前記タイトル鍵を許諾として送信する前に、前記送受信手段が前記記録装置から受信した第２の識別子を前記タイトル鍵に作用させ、前記タイトル鍵を、前記第２の記録媒体でのみ利用し得る形態に変形する鍵変換ステップと、を備えることを特徴としてもよい。
【０３１５】
ここで、前記許諾提供方法であって、前記送受信ステップは、前記記録装置からの許諾の再送要求を受信すると共に、第１の記録媒体を識別するための第３の識別子と、第２の記録媒体を識別するための第４の識別子を受信して、前記データベース管理ステップは、前記データベースで管理する第１の識別子と第２の識別子の対と、前記受信した第３の識別子と第４の識別子の対が一致するか否かを判定し、一致すると判定した場合に、前記記録装置の再送要求に応じて、前記許諾を再送することを特徴としてもよい。
【０３１６】
また、本発明の一実施態様は、第１の記録媒体に記録されているコンテンツを、第２の記録媒体にコピーする記録方法であって、前記記録方法は、前記第１の記録媒体にコピー用のコンテンツが記録されているか否かを確認する第１の確認ステップと、前記第１の記録媒体に、前記第１の記録媒体を識別するための第１の識別子が存在するか否かを確認する第２の確認ステップと、前記第１の記録媒体を識別するための第３の識別子の入力を受け付ける識別子受付ステップと、サーバ装置に対して、コピーの許諾の要求を送信する、又はコピーの許諾を受信する送受信ステップと、前記送受信ステップが、前記サーバ装置から許諾を受信した場合に、前記第２の記録媒体にコンテンツを書き込む書込ステップと、を備え、前記送受信ステップは、前記第１の確認ステップが、コピー用のコンテンツが記録されていることを確認し、かつ前記第２の確認ステップが、前記第１の識別子が存在することを確認した場合に、前記サーバ装置に対してコピーの許諾の要求を送信し、前記識別子受付ステップは、前記第１の確認手段が、コピー用のコンテンツが記録されていることを確認し、かつ前記第２の確認ステップが、前記第１の識別子が存在しないことを確認した場合に、前記第１の記録媒体を識別するための第３の識別子の入力を受け付けた後、前記送受信ステップを介して、前記サーバ装置に対してコピーの許諾の要求を送信することを特徴とする。
【０３１７】
ここで、前記記録方法であって、前記識別子受付ステップは、前記第２の確認ステップが、前記第１の識別子が存在することを確認した場合であっても、前記第３の識別子の入力を受け付け、前記送受信ステップは、前記第１の識別子、又は前記第３の識別子の何れかを前記サーバ装置へ送信することを特徴としてもよい。
【０３１８】
ここで、前記記録方法であって、前記第２の記録媒体の空き容量を確認する記録媒体確認ステップと、第２の記録媒体の交換を促すメッセージを表示する表示ステップと、を備え、前記記録媒体確認ステップは、前記第２の記録媒体の空き容量と、前記第１の記録媒体に記録されているコピー用のコンテンツのサイズを比較し、空き容量が小さい場合は、前記表示ステップを介して交換を促すメッセージを表示することを特徴としてもよい。
【０３１９】
ここで、前記記録方法であって、前記第２の記録媒体が、前記記録装置に直接挿入されているか、携帯装置に挿入され、有線、又は無線で前記記録装置に接続されているか、の接続状態を調べる接続状態確認ステップと、前記携帯装置を識別するための識別情報の入力を受け付ける入力受付ステップと、前記携帯装置が、有線、又は無線で接続されている場合に、前記記録装置によるコンテンツの書き込みが行えるか否かを記したリストを保持するリスト保持ステップと、前記保持するリストと、前記受け付けた携帯装置の識別情報と、前記接続状態から、前記記録装置がコンテンツを書き込める状態にあるか否かを判定する判定ステップと、を備え、前記判定ステップが、書き込める状態ではないと判断した場合に、前記表示手段が接続方法の変更を促すメッセージを表示することを特徴としてもよい。
【０３２０】
ここで、前記記録方法であって、携帯装置を識別するための識別情報の入力を受け付ける入力受付ステップと、前記携帯装置が備える機能を記したリストを保持するリスト保持ステップと、前記保持するリストと、前記受け付けた携帯装置の識別情報と、前記第１の記録媒体に記録されている複数のコピー用のコンテンツの中から、推奨コンテンツを決定する決定ステップと、を備え、前記決定ステップが決定した推奨コンテンツを、前記表示ステップを介して提示することを特徴としてもよい。
【０３２１】
また、本発明の一実施態様は、第１の記録媒体に記録されているコンテンツを、第２の記録媒体にコピーするための許諾を記録装置に与えるか否かを判断するサーバ装置の集積回路であって、前記集積回路は、前記記録装置から、第１の記録媒体を識別するための第１の識別子と、第２の記録媒体を識別するための第２の識別子と、前記記録媒体に記録されているコンテンツを特定するためのタイトル情報を受信し、コピーの許諾を前記記録装置へ送信する送受信手段と、前記第１の識別子と、前記第２の識別子を対でデータベースに登録し、第１の識別子ごとにコピー回数を管理するデータベース管理手段と、を備え、前記データベース管理手段は、管理しているデータベースに基づき、前記記録装置にコピーの許諾を与えるか否かを判断し、許諾を与えると判断した場合に、前記送受信手段を介して、許諾を前記記録装置へ送信することを特徴とする。
【０３２２】
ここで、前記集積回路であって、前記第１の記録媒体に記録されているコンテンツは、タイトル鍵を用いて暗号化されており、前記送受信手段が前記記録装置へ送信する許諾は、前記暗号化コンテンツを復号するためのタイトル鍵であることを特徴としてもよい。
【０３２３】
また、本発明の一実施態様は、第１の記録媒体に記録されているコンテンツを、第２の記録媒体にコピーする記録装置の集積回路であって、前記集積回路は、前記第１の記録媒体にコピー用のコンテンツが記録されているか否かを確認する第１の確認手段と、前記第１の記録媒体に、前記第１の記録媒体を識別するための第１の識別子が存在するか否かを確認する第２の確認手段と、前記第１の記録媒体を識別するための第３の識別子の入力を受け付ける識別子受付手段と、サーバ装置に対して、コピーの許諾の要求を送信する、又はコピーの許諾を受信する送受信手段と、前記送受信手段が、前記サーバ装置から許諾を受信した場合に、前記第２の記録媒体にコンテンツを書き込む書込手段と、を備え、前記送受信手段は、前記第１の確認手段が、コピー用のコンテンツが記録されていることを確認し、かつ前記第２の確認手段が、前記第１の識別子が存在することを確認した場合に、前記サーバ装置に対してコピーの許諾の要求を送信し、前記識別子受付手段は、前記第１の確認手段が、コピー用のコンテンツが記録されていることを確認し、かつ前記第２の確認手段が、前記第１の識別子が存在しないことを確認した場合に、前記第１の記録媒体を識別するための第３の識別子の入力を受け付けた後、前記送受信手段を介して、前記サーバ装置に対してコピーの許諾の要求を送信することを特徴とする。
【０３２４】
ここで、前記集積回路であって、前記識別子受付手段は、前記第２の確認手段が、前記第１の識別子が存在することを確認した場合であっても、前記第３の識別子の入力を受け付け、前記送受信手段は、前記第１の識別子、又は前記第３の識別子の何れかを前記サーバ装置へ送信することを特徴としてもよい。
【０３２５】
また、本発明の一実施態様は、第１の記録媒体に記録されているコンテンツを、第２の記録媒体にコピーする記録装置と、コピーするための許諾を前記記録装置に与えるか否かを判断するサーバ装置からなるコンテンツ記録システムであって、前記サーバ装置は、前記記録装置から、第１の記録媒体を識別するための第１の識別子と、第２の記録媒体を識別するための第２の識別子と、前記記録媒体に記録されているコンテンツを特定するためのタイトル情報を受信し、コピーの許諾を前記記録装置へ送信する送受信手段と、前記第１の識別子と、前記第２の識別子を対でデータベースに登録し、第１の識別子ごとにコピー回数を管理するデータベース管理手段とを備え、前記記録装置は、前記第１の記録媒体にコピー用のコンテンツが記録されているか否かを確認する第１の確認手段と、前記第１の記録媒体に、前記第１の記録媒体を識別するための第１の識別子が存在するか否かを確認する第２の確認手段と、前記第１の記録媒体を識別するための第３の識別子の入力を受け付ける識別子受付手段と、サーバ装置に対して、コピーの許諾の要求を送信する、又はコピーの許諾を受信する送受信手段と、前記送受信手段が、前記サーバ装置から許諾を受信した場合に、前記第２の記録媒体にコンテンツを書き込む書込手段と、を備え、前記サーバ装置のデータベース管理手段は、管理しているデータベースに基づき、前記記録装置にコピーの許諾を与えるか否かを判断し、許諾を与えると判断した場合に、前記送受信手段を介して、許諾を前記記録装置へ送信し、前記記録装置の前記送受信手段は、前記第１の確認手段が、コピー用のコンテンツが記録されていることを確認し、かつ前記第２の確認手段が、前記第１の識別子が存在することを確認した場合に、前記サーバ装置に対してコピーの許諾の要求を送信し、前記識別子受付手段は、前記第１の確認手段が、コピー用のコンテンツが記録されていることを確認し、かつ前記第２の確認手段が、前記第１の識別子が存在しないことを確認した場合に、前記第１の記録媒体を識別するための第３の識別子の入力を受け付けた後、前記送受信手段を介して、前記サーバ装置に対してコピーの許諾の要求を送信することを特徴とする。
【０３２６】
以上、本発明を添付図面を用いて詳細に説明したが、種々の改良や変形が当業者に明らかとなり得ることは言うまでもない。したがって、かかる改良や変形が本発明の範囲を逸脱しない限り、これらも本発明に含まれると理解されるべきである。
【産業上の利用可能性】
【０３２７】
本発明にかかるコンテンツ記録装置、及びコンテンツ記録システムは、デジタルコンテンツをユーザへ供給する産業、デジタルコンテンツをコピーする記録装置、再生する携帯装置を製造する製造業、デジタルコンテンツをコピー、又は再生する装置を販売する販売業において有用である。
【符号の説明】
【０３２８】
１０１  記録媒体（ディスク）
１０２  記録媒体（カード）
１０３  ディスク製造装置
１０４  記録装置
１０５  サーバ装置
１０６  携帯装置
【図１】
2011105041.tif 000003
【図２】
2011105041.tif 000004
【図３】
2011105041.tif 000005
【図４】
2011105041.tif 000006
【図５】
2011105041.tif 000007
【図６】
2011105041.tif 000008
【図７】
2011105041.tif 000009
【図８】
2011105041.tif 000010
【図９】
2011105041.tif 000011
【図１０】
2011105041.tif 000012
【図１１】
2011105041.tif 000013
【図１２】
2011105041.tif 000014
【図１３】
2011105041.tif 000015
【図１４】
2011105041.tif 000016
【図１５】
2011105041.tif 000017
【図１６】
2011105041.tif 000018
【図１７】
2011105041.tif 000019
【図１８】
2011105041.tif 000020
【図１９】
2011105041.tif 000021
【図２０】
2011105041.tif 000022
【図２１】
2011105041.tif 000023
【図２２】
2011105041.tif 000024
【図２３】
2011105041.tif 000025
【図２４】
2011105041.tif 000026
【図２５】
2011105041.tif 000027
【図２６】
2011105041.tif 000028
【図２７】
2011105041.tif 000029
【図２８】
2011105041.tif 000030
【国際調査報告】
2011105041.tif 000031
2011105041.tif 000032
2011105041.tif 000033
2011105041.tif 000034
2011105041.tif 000035
2011105041.tif 000036
2011105041.tif 000037
2011105041.tif 000038
2011105041.tif 000039
2011105041.tif 000040